(57)【要約】  アミロイドベータを検出又は定量する方法が提供される。ある特定の態様では、マススペクトロメトリーによりアミロイドベータ又はそのフラグメントを検出する方法が、本明細書に提供される。別の態様では、アミロイドベータ４０（Ａβ４０）に対するアミロイドベータ４２（Ａβ４２）の比を決定する方法が、本明細書に提供される。別の態様では、アルツハイマー病又は認知症を診断又は予測する方法が、本明細書に提供される。【選択図】図１
2018535398.tif 000002
【特許請求の範囲】
【請求項１】
サンプル中のアミロイドベータの量を決定する方法であって、
（ａ）サンプル中のアミロイドベータを精製すること、
（ｂ）前記サンプル中のアミロイドベータをイオン化して、アミロイドベータの前駆イオンを産生すること、
（ｃ）１つ又は複数のアミロイドベータフラグメントのイオンを生成すること、及び
（ｄ）マススペクトロメトリーにより、ステップ（ｃ）若しくは（ｄ）又はその両方からのイオンの量を決定すること
を含み、アミロイドベータイオンの量が、前記サンプル中のアミロイドベータの量と関連する、方法。
【請求項２】
前記精製することが、液体クロマトグラフィーを含む、請求項１に記載の方法。
【請求項３】
前記液体クロマトグラフィーが、高性能液体クロマトグラフィー（ＨＰＬＣ）を含む、請求項２に記載の方法。
【請求項４】
Ｃ−４分析カラムを更に含む、請求項１に記載の方法。
【請求項５】
前記サンプルと接触する機器の表面を、アミロイドベータが前記表面に固着するのを防止する薬剤で事前処理することを更に含む、請求項１に記載の方法。
【請求項６】
前記薬剤が、大腸菌溶解物である、請求項５に記載の方法。
【請求項７】
前記サンプルを、アミロイドベータを安定化させる薬剤と共にインキュベートすることを更に含む、請求項１に記載の方法。
【請求項８】
前記薬剤が、アミロイドベータのＣ末端と結合する抗体、アミロイドベータのＮ末端と結合する抗体、アポリポタンパク質Ｅ２、アポリポタンパク質Ｅ４、又はその組合せを含む、請求項７に記載の方法。
【請求項９】
前記薬剤が、少なくとも３回の凍結−解凍サイクルにわたり、安定性を付与する、請求項７に記載の方法。
【請求項１０】
前記薬剤が、−７０℃で少なくとも２カ月間、安定性を付与する、請求項７に記載の方法。
【請求項１１】
混合モード陰イオン交換抽出を含む、請求項１に記載の方法。
【請求項１２】
前記イオン化が、加熱式エレクトロスプレーイオン化（ＨＥＳＩ）を含む、請求項１に記載の方法。
【請求項１３】
前記イオン化が、ポジティブモードでイオン化することを含む、請求項１に記載の方法。
【請求項１４】
前記フラグメントイオンの生成が、２０Ｖ〜４５Ｖの衝突エネルギーを使用することを含む、請求項１に記載の方法。
【請求項１５】
アミロイドベータが、配列ＤＡＥＦＲＨＤＳＧＹＥＶＨＨＱＫＬＶＦＦＡＥＤＶＧＳＮＫＧＡＩＩＧＬＭＶＧＧＶＶ（配列番号１）を有するＡβ４０、又は配列ＤＡＥＦＲＨＤＳＧＹＥＶＨＨＱＫＬＶＦＦＡＥＤＶＧＳＮＫＧＡＩＩＧＬＭＶＧＧＶＶＩＡ（配列番号３）を有するＡβ４２を含む、請求項１に記載の方法。
【請求項１６】
内部標準を添加することを更に含む、請求項１に記載の方法。
【請求項１７】
前記内部標準が、同位体で標識されている、請求項１６に記載の方法。
【請求項１８】
前記内部標準が、１３Ｃ１５Ｎ標識を含む、請求項１７に記載の方法。
【請求項１９】
方法の定量限界が、１０ｎｇ／ｍＬ未満又はそれに等しい、請求項１に記載の方法。
【請求項２０】
前記サンプルが、脳脊髄液（ＣＳＦ）である、請求項１に記載の方法。
【請求項２１】
サンプル中のアミロイドベータの量を決定する方法であって、
（ａ）サンプル中のアミロイドベータを消化して、１つ又は複数のアミロイドベータフラグメントを生成すること、
（ｂ）前記１つ又は複数のアミロイドベータフラグメントを精製すること、
（ｃ）前記アミロイドベータフラグメントをイオン化して、前駆イオンを産生すること、及び
（ｄ）１つ又は複数のフラグメントイオンを生成すること、及び
（ｅ）マススペクトロメトリーにより、ステップ（ｃ）若しくは（ｄ）又はその両方からのイオンの量を決定すること
を含み、前記イオンの量が、前記サンプル中のアミロイドベータフラグメントの量と関連する、方法。
【請求項２２】
前記精製することが、液体クロマトグラフィーを含む、請求項２１に記載の方法。
【請求項２３】
前記液体クロマトグラフィーが、高性能液体クロマトグラフィー（ＨＰＬＣ）を含む、請求項２２に記載の方法。
【請求項２４】
Ｃ−４分析カラムを更に含む、請求項２１に記載の方法。
【請求項２５】
前記サンプルと接触する機器の表面を、前記アミロイドベータフラグメントが前記表面に固着するのを防止する薬剤で事前処理することを更に含む、請求項２１に記載の方法。
【請求項２６】
前記薬剤が、大腸菌溶解物である、請求項２５に記載の方法。
【請求項２７】
前記サンプルを、アミロイドベータを安定化させる薬剤と共にインキュベートすることを更に含む、請求項２１に記載の方法。
【請求項２８】
前記薬剤が、アミロイドベータのＣ末端と結合する抗体、アミロイドベータのＮ末端と結合する抗体、アポリポタンパク質Ｅ２、アポリポタンパク質Ｅ４、又はその組合せを含む、請求項２７に記載の方法。
【請求項２９】
前記薬剤が、少なくとも３回の凍結−解凍サイクルにわたり、安定性を付与する、請求項２７に記載の方法。
【請求項３０】
前記薬剤が、−７０℃で少なくとも２カ月間、安定性を付与する、請求項２７に記載の方法。
【請求項３１】
混合モード陰イオン交換抽出を含む、請求項２１に記載の方法。
【請求項３２】
前記イオン化が、加熱式エレクトロスプレーイオン化（ＨＥＳＩ）を含む、請求項２１に記載の方法。
【請求項３３】
前記イオン化が、ポジティブモードでイオン化することを含む、請求項２１に記載の方法。
【請求項３４】
前記フラグメントイオンの生成が、２０Ｖ〜４５Ｖの衝突エネルギーを使用することを含む、請求項２１に記載の方法。
【請求項３５】
前記アミロイドベータフラグメントが、配列ＧＡＩＩＧＬＭＶＧＧＶＶ（配列番号２）を有するＡβ４０フラグメント、又は配列ＧＡＩＩＧＬＭＶＧＧＶＶＩＡ（配列番号４）を有するＡβ４２を含む、請求項２１に記載の方法。
【請求項３６】
前記前駆イオンが、１０８５．６±０．５又は１２６９．７±０．５の質量／電荷の比を有する、請求項３５に記載の方法。
【請求項３７】
前記１つ又は複数のフラグメントイオンが、８１２．３７±０．５、８６９．４±０．５、９６８．４３±０．５、８６９．３９±０．５、９６８．４４±０．５、１０６７．５±０．５、又は１１８０．５７±０．５の質量／電荷の比を有する、請求項３５に記載の方法。
【請求項３８】
内部標準を添加することを更に含む、請求項２１に記載の方法。
【請求項３９】
前記内部標準が、同位体で標識されている、請求項３８に記載の方法。
【請求項４０】
前記内部標準が、１３Ｃ１５Ｎ標識を含む、請求項３９に記載の方法。
【請求項４１】
前記内部標準の前記前駆イオンが、１１１０．７±０．５の質量／電荷の比を有する、請求項３９に記載の方法。
【請求項４２】
前記内部標準の前記１つ又は複数のフラグメントイオンが、７６８．４８±０．５、８２５．５±０．５、又は８８２．５２±０．５の質量／電荷の比を有する、請求項３９に記載の方法。
【請求項４３】
方法の定量限界が、１０ｎｇ／ｍＬ未満又はそれに等しい、請求項２１に記載の方法。
【請求項４４】
前記サンプルが、脳脊髄液（ＣＳＦ）である、請求項２１に記載の方法。
【請求項４５】
前記消化が、ＬｙｓＣにより消化することを含む、請求項２１に記載の方法。
【請求項４６】
前記消化が、尿素を添加することを更に含む、請求項４５に記載の方法。
【請求項４７】
前記消化が、マイクロ波中での消化を更に含む、請求項４５に記載の方法。
【請求項４８】
前記アミロイドベータフラグメントが、飛行化ペプチドを更に含む、請求項３５に記載の方法。
【請求項４９】
前記飛行化ペプチドが、親水性である、請求項４８に記載の方法。
【請求項５０】
前記飛行化ペプチドが、１つ又は複数のＮ末端又はＣ末端アミノ酸残基を含む、請求項４８に記載の方法。
【請求項５１】
Ａβ４０に対するＡβ４２の比を決定することを含む、請求項３５に記載の方法。
【請求項５２】
アルツハイマー病又は認知症を診断又は予測する方法であって、請求項５１のステップを含み、アミロイドベータのレベルが異常であれば、アルツハイマー病又は認知症が予測又は診断される、前記方法。
【請求項５３】
Ａβ４０に対するＡβ４２の比が、０．５又はそれ未満であれば、アルツハイマー病又は認知症が予測又は診断される、請求項５２に記載の方法。
【請求項５４】
Ａβ４０に対するＡβ４２の比が、０．２又はそれ未満であれば、アルツハイマー病又は認知症が予測又は診断される、請求項５２に記載の方法。
【発明の詳細な説明】
【技術分野】
【０００１】
関連特許出願に対する相互参照
本出願は、２０１５年９月２８日出願の米国仮特許出願第６２／２３４，０２７号、及び２０１６年１月１２日出願の米国仮特許出願第６２／２７７，７７２号の利益を主張し、これらのそれぞれは、参照によりその全体が本明細書に援用される。
【０００２】
本発明は、アミロイドベータの検出又は定量に関する。ある特定の態様では、本発明は、マススペクトロメトリーによりアミロイドベータ又はそのフラグメントを検出する方法に関する。
【背景技術】
【０００３】
アルツハイマー病は、高齢者集団に影響を及ぼす最も一般的な認知症の形態である。アルツハイマー病は、認知能力、特に記憶及び学習の進行性の衰退により特徴付けられる。この疾患の１つの特徴として、アミロイドベータ（Ａβ又はＡベータ）ペプチドから構成される老人斑が挙げられる。
【０００４】
現行の臨床診断法でアルツハイマー病を予測又は診断する場合、その正確度及び感度は低い。イムノアッセイ法が、アルツハイマー病の進行を予測するバイオマーカーであるアミロイドベータを検出するために現在提供されている。しかし、現在利用可能なイムノアッセイ法による観察結果において、施設間変動が懸念される。
【０００５】
アミロイドベータを検出するための正確且つ高感度なアッセイ法が必要とされる。
【発明の概要】
【０００６】
本明細書において、タンデム型質量分析などのマススペクトロメトリーにより、サンプル中のアミロイドベータ（Ａβ）の量を検出又は決定する方法が提供される。
【０００７】
特定の実施形態では、アミロイドベータの量を決定するための本明細書に提供される方法は、（ａ）サンプル中のアミロイドベータを精製すること；（ｂ）前記サンプル中のアミロイドベータをイオン化すること；及び（ｃ）マススペクトロメトリーにより、アミロイドベータイオンの量を決定することを含み、アミロイドベータイオンの量は、サンプル中のアミロイドベータの量と関連する。
【０００８】
特定の実施形態では、アミロイドベータの量を決定するための本明細書に提供される方法は、（ａ）サンプル中のアミロイドベータを精製すること；（ｂ）前記サンプル中のアミロイドベータをイオン化して、アミロイドベータの前駆イオンを産生すること；（ｃ）１つ又は複数のアミロイドベータフラグメントのイオンを生成すること；及び（ｄ）マススペクトロメトリーにより、ステップ（ｃ）若しくは（ｄ）又はその両方からのイオンの量を決定することを含み、アミロイドベータイオンの量は、サンプル中のアミロイドベータの量と関連する。
【０００９】
特定の実施形態では、アミロイドベータの量を決定するための本明細書に提供される方法は、（ａ）サンプル中のアミロイドベータを消化して、１つ又は複数のアミロイドベータフラグメントを生成すること；（ｂ）前記１つ又は複数のアミロイドベータフラグメントを精製すること；（ｃ）前記１つ又は複数のアミロイドベータフラグメントをイオン化して、前駆イオンを産生すること；（ｄ）１つ又は複数のフラグメントイオンを生成すること；及び（ｅ）マススペクトロメトリーにより、ステップ（ｃ）若しくは（ｄ）又はその両方からのイオンの量を決定することを含み、イオンの量は、サンプル中のアミロイドベータフラグメントの量と関連する。
【００１０】
特定の実施形態では、アミロイドベータ４２（Ａβ４２）の量を決定する方法が、本明細書に提供される。いくつかの実施形態では、Ａβ４２フラグメントは、配列ＧＡＩＩＧＬＭＶＧＧＶＶＩＡ（配列番号４）を含む。いくつかの実施形態では、方法は、（ａ）サンプル中のアミロイドベータを消化して、アミロイドベータ４２（Ａβ４２）を生成すること；（ｂ）Ａβ４２を精製すること；（ｃ）Ａβ４２をイオン化して、前駆イオンを産生すること；（ｄ）１つ又は複数のＡβ４２のフラグメントイオンを生成すること；及び（ｅ）マススペクトロメトリーにより、ステップ（ｃ）若しくは（ｄ）又はその両方からのイオンの量を決定することを含み、イオンの量は、サンプル中のＡβ４２の量と関連する。
【００１１】
特定の実施形態では、アミロイドベータ４０（Ａβ４０）の量を決定する方法が、本明細書に提供される。いくつかの実施形態では、Ａβ４０フラグメントは、配列ＧＡＩＩＧＬＭＶＧＧＶＶ（配列番号２）を含む。いくつかの実施形態では、方法は、（ａ）サンプル中のアミロイドベータを消化して、アミロイドベータ４０（Ａβ４０）を生成すること；（ｂ）Ａβ４０を精製すること；（ｃ）Ａβ４０をイオン化して、前駆イオンを産生すること；（ｄ）１つ又は複数のＡβ４０のフラグメントイオンを生成すること；及び（ｅ）マススペクトロメトリーにより、ステップ（ｃ）若しくは（ｄ）又はその両方からのイオンの量を決定することを含み、イオンの量は、サンプル中のＡβ４０の量と関連する。
【００１２】
特定の実施形態では、アミロイドベータ４２（Ａβ４２）及びアミロイドベータ４０（Ａβ４０）の量を決定する方法が、本明細書に提供される。いくつかの実施形態では、方法は、（ａ）サンプル中のアミロイドベータを消化して、アミロイドベータ４２（Ａβ４２）及びアミロイドベータ４０（Ａβ４０）を生成すること；（ｂ）Ａβ４２及びＡβ４０を精製すること；（ｃ）Ａβ４２及びＡβ４０をイオン化して、前駆イオンを産生すること；（ｄ）１つ又は複数のＡβ４２及びＡβ４０のフラグメントイオンを生成すること；及び（ｅ）マススペクトロメトリーにより、ステップ（ｃ）若しくは（ｄ）又はその両方からのイオンの量を決定することを含み、イオンの量は、サンプル中のＡβ４２及びＡβ４０の量と関連する。
【００１３】
特定の実施形態では、アミロイドベータ４０（Ａβ４０）に対するアミロイドベータ４２（Ａβ４２）の比を決定する方法が、本明細書に提供される。いくつかの実施形態では、方法は、（ａ）サンプル中のアミロイドベータを消化して、アミロイドベータ４２（Ａβ４２）及びアミロイドベータ４０（Ａβ４０）を生成すること；（ｂ）Ａβ４２及びＡβ４０を精製すること；（ｃ）Ａβ４２及びＡβ４０をイオン化して、前駆イオンを産生すること；（ｄ）１つ又は複数のＡβ４２及びＡβ４０のフラグメントイオンを生成すること；及び（ｅ）マススペクトロメトリーにより、ステップ（ｃ）若しくは（ｄ）又はその両方からのイオンの量を決定すること；及び（ｆ）Ａβ４０に対するＡβ４２の比を決定することを含む。いくつかの実施形態では、方法は、Ａβ４２に対するＡβ４０の比を決定することを含む。
【００１４】
特定の実施形態では、アルツハイマー病又は認知症を診断又は予測する方法であって、試験サンプル中のアミロイドベータの量を、マススペクトロメトリーにより決定することを含み、アミロイドベータのレベルが異常であれば、アルツハイマー病が予測又は診断される、方法が本明細書に提供される。いくつかの実施形態では、方法は、（ａ）サンプル中のアミロイドベータを精製すること；（ｂ）前記サンプル中のアミロイドベータをイオン化すること；及び（ｃ）アミロイドベータイオンの量を、マススペクトロメトリーにより決定すること；及び（ｄ）アミロイドベータイオンの量を、前記サンプル中のアミロイドベータの量と関連付けることを含み得、アミロイドベータのレベルが異常であれば、アルツハイマー病が予測又は診断される。いくつかの実施形態では、方法は、アミロイドベータフラグメントの比を決定することを含む。いくつかの実施形態では、方法は、アミロイドベータ４０（Ａβ４０）に対するアミロイドベータ４２（Ａβ４２）の比を決定することを含む。いくつかの実施形態では、方法は、アミロイドベータ４０（Ａβ４２）に対するアミロイドベータ４２（Ａβ４０）の比を決定することを含む。
【００１５】
特定の実施形態では、本明細書に提供される方法は、サンプルと接触する機器の表面を事前処理することを含む。いくつかの実施形態では、事前処理は、機器の表面を、アミロイドベータ又はそのフラグメントが表面に固着するのを防止する薬剤で事前コーティングすることを含む。いくつかの実施形態では、事前処理は、溶菌液による事前処理を含む。いくつかの実施形態では、事前処理は、大腸菌〔E.coli〕溶解物による事前処理を含む。いくつかの実施形態では、大腸菌溶解物は、トリプシン消化大腸菌溶解物を含む。いくつかの実施形態では、事前処理された機器として、試験管又はプレート、ピペットチップ、サンプル調製装置、液体クロマトグラフィー装置、及びマススペクトロメトリー装置が挙げられるが、但し、これらに限定されない。
【００１６】
特定の実施形態では、本明細書に提供される方法は、アミロイドベータ又はそのフラグメントを安定化させる薬剤を用いてサンプルを処理する、又はそれと共にインキュベートすることを含む。いくつかの実施形態では、本明細書に提供される方法は、サンプルをアミロイドベータ抗体で処理すること、又はそれと共にインキュベートすることを含む。いくつかの実施形態では、本明細書に提供される方法は、サンプルを少なくとも２つの異なるアミロイドベータ抗体で処理する、又はそれと共にインキュベートすることを含む。いくつかの実施形態では、アミロイドベータ抗体は、アミロイドベータのＣ末端と結合する抗体を含む。いくつかの実施形態では、アミロイドベータ抗体は、アミロイドベータのＮ末端と結合する抗体を含む。いくつかの実施形態では、アミロイドベータを安定化させる薬剤は、アポリポタンパク質を含む。いくつかの実施形態では、アミロイドベータを安定化させる薬剤は、アポリポタンパク質Ｅ２を含む。いくつかの実施形態では、アミロイドベータを安定化させる薬剤は、アポリポタンパク質Ｅ４を含む。いくつかの実施形態では、アミロイドベータを安定化させる薬剤は、アミロイドベータのＣ末端と結合する抗体、アミロイドベータのＮ末端と結合する抗体、アポリポタンパク質Ｅ２、アポリポタンパク質Ｅ４、又はその組合せを含む。いくつかの実施形態では、本明細書に提供されるアミロイドベータを安定化させる薬剤は、−７０℃で少なくとも１カ月間、安定性を付与する。いくつかの実施形態では、本明細書に提供されるアミロイドベータを安定化させる薬剤は、−７０℃で少なくとも２カ月間、安定性を付与する。いくつかの実施形態では、本明細書に提供されるアミロイドベータを安定化させる薬剤は、−７０℃で少なくとも３カ月間、安定性を付与する。いくつかの実施形態では、本明細書に提供されるアミロイドベータを安定化させる薬剤は、凍結−解凍サイクルにわたり、安定性を付与する。いくつかの実施形態では、本明細書に提供されるアミロイドベータを安定化させる薬剤は、少なくとも２回の凍結−解凍サイクルにわたり、安定性を付与する。いくつかの実施形態では、本明細書に提供されるアミロイドベータを安定化させる薬剤は、少なくとも３回の凍結−解凍サイクルにわたり、安定性を付与する。いくつかの実施形態では、本明細書に提供されるアミロイドベータを安定化させる薬剤は、少なくとも４回の凍結−解凍サイクルにわたり、安定性を付与する。
【００１７】
特定の実施形態では、本明細書に提供される方法は、サンプル中のアミロイドベータを消化することを含む。いくつかの実施形態では、本明細書に提供される方法は、酵素によりアミロイドベータを消化することを含む。いくつかの実施形態では、酵素は、Ｌｙｓ−Ｃである。いくつかの実施形態では、本明細書に提供される方法は、尿素によりアミロイドベータを消化することを含む。いくつかの実施形態では、尿素は、タンパク質消化に適する濃度を有する。いくつかの実施形態では、尿素は６Ｍ尿素である。いくつかの実施形態では、本明細書に提供される方法は、尿素及びＬｙｓ−Ｃによりアミロイドベータを消化することを含む。いくつかの実施形態では、消化は、消化時間を短縮する又は消化効率を高める条件で消化することを含む。いくつかの実施形態では、消化は、マイクロ波中で消化することを含む。いくつかの実施形態では、本明細書に提供される方法は、消化されたアミロイドベータの量を決定することを含む。
【００１８】
特定の実施形態では、本明細書に提供される方法は、抽出を含む。いくつかの実施形態では、本明細書に提供される方法は、混合モード陰イオン交換抽出を含む。いくつかの実施形態では、本明細書に提供される方法は、固相抽出を含む。
【００１９】
特定の実施形態では、本明細書に提供される方法は、加熱された窒素を使用してサンプルを溶出及び乾燥させることを含む。いくつかの実施形態では、サンプルは、再構成用バッファー中で再懸濁される。
【００２０】
特定の実施形態では、サンプルを精製することは、液体クロマトグラフィーを含む。いくつかの実施形態では、液体クロマトグラフィーとして、逆相液体クロマトグラフィー（ＲＰＬＣ）、高性能液体クロマトグラフィー（ＨＰＬＣ）、及び高乱流液体クロマトグラフィー（ＨＴＬＣ）が挙げられるが、但し、これらに限定されない。好ましい実施形態では、液体クロマトグラフィーは、ＨＰＬＣを含む。いくつかの実施形態では、ＨＰＬＣカラムは、化学的部分の分離（すなわち、分画）を促進する媒体（すなわち、充填材料）を一般的に含む。適するカラムは、Ｃ−４、Ｃ−８、Ｃ−１２、又はＣ−１８カラムを含み得る。好ましい実施形態では、適するＨＰＬＣカラムはＣ−４カラムである。
【００２１】
特定の実施形態では、本明細書に提供される方法は、アミロイドベータの機器表面への固着を低下させる機器を使用することを含む。いくつかの実施形態では、機器は、ＰＥＥＫ（ポリエーテルエーテルケトン）チューブ又は装置を備える。いくつかの実施形態では、機器は、金属チューブ又は装置を含む。
【００２２】
特定の実施形態では、本明細書に提供される方法は、タンデム型質量分析を含む。いくつかの実施形態では、本明細書に提供される方法は、ポジティブモードでイオン化することを含む。いくつかの実施形態では、本明細書に提供される方法は、ネガティブモードでイオン化することを含む。いくつかの実施形態では、本明細書に提供される方法は、加熱式エレクトロスプレーイオン化法（ＨＥＳＩ）を使用してイオン化することを含む。いくつかの実施形態では、本明細書に提供される方法は、エレクトロスプレーイオン化法（ＥＳＩ）を使用してイオン化することを含む。いくつかの実施形態では、本明細書に提供される方法は、大気圧化学イオン化法（ＡＰＣＩ）を使用してイオン化することを含む。好ましい実施形態では、本明細書に提供される方法は、加熱式エレクトロスプレーイオン化法（ＨＥＳＩ）を使用して、ポジティブモードでイオン化することを含む。いくつかの実施形態では、衝突エネルギーは、５Ｖ〜６０Ｖである。いくつかの実施形態では、衝突エネルギーは、１０Ｖ〜５０Ｖである。いくつかの実施形態では、衝突エネルギーは、２０Ｖ〜５０Ｖである。いくつかの実施形態では、衝突エネルギーは、２０Ｖ〜４５Ｖである。
【００２３】
特定の実施形態では、本明細書に提供される方法は、アミロイドベータ４０（Ａβ４０）の量を検出又は決定することを含む。いくつかの実施形態では、Ａβ４０は、配列ＤＡＥＦＲＨＤＳＧＹＥＶＨＨＱＫＬＶＦＦＡＥＤＶＧＳＮＫＧＡＩＩＧＬＭＶＧＧＶＶ（配列番号１）を含む。いくつかの実施形態では、本明細書に提供される方法は、Ａβ４０のフラグメントの量を検出又は決定することを含む。いくつかの実施形態では、Ａβ４０フラグメントは、配列ＧＡＩＩＧＬＭＶＧＧＶＶ（配列番号２）を含む。いくつかの実施形態では、Ａβ４０フラグメントは、Ｎ末端又はＣ末端飛行化〔winged〕ペプチドを含有する配列を含む。いくつかの実施形態では、Ａβ４０フラグメントは、配列番号２、及びＮ末端又はＣ末端飛行化ペプチドを含む。いくつかの実施形態では、飛行化ペプチドは、親水性である。いくつかの実施形態では、飛行化ペプチドは、少なくとも１個のアミノ酸を含む。いくつかの実施形態では、飛行化ペプチドは、少なくとも２個のアミノ酸を含む。いくつかの実施形態では、飛行化ペプチドは、少なくとも３個のアミノ酸を含む。いくつかの実施形態では、飛行化ペプチドは、少なくとも４個のアミノ酸を含む。いくつかの実施形態では、飛行化ペプチドは、少なくとも５個のアミノ酸を含む。いくつかの実施形態では、飛行化ペプチドは、少なくとも６個のアミノ酸を含む。いくつかの実施形態では、Ａβ４０フラグメントの量は、サンプル中でＡβ４０の量と相関する。
【００２４】
特定の実施形態では、本明細書に提供される方法は、アミロイドベータ４２（Ａβ４２）の量を検出又は決定することを含む。いくつかの実施形態では、Ａβ４２は、配列ＤＡＥＦＲＨＤＳＧＹＥＶＨＨＱＫＬＶＦＦＡＥＤＶＧＳＮＫＧＡＩＩＧＬＭＶＧＧＶＶＩＡ（配列番号３）を含む。いくつかの実施形態では、本明細書に提供される方法は、Ａβ４２のフラグメントの量を検出又は決定することを含む。いくつかの実施形態では、Ａβ４２フラグメントは、配列ＧＡＩＩＧＬＭＶＧＧＶＶＩＡ（配列番号４）を含む。いくつかの実施形態では、Ａβ４２フラグメントは、Ｎ末端又はＣ末端飛行化ペプチドを含有する配列を含む。いくつかの実施形態では、Ａβ４２フラグメントは、配列番号４、及びＮ末端又はＣ末端飛行化ペプチドを含む。いくつかの実施形態では、飛行化ペプチドは、親水性である。いくつかの実施形態では、飛行化ペプチドは、少なくとも１個のアミノ酸を含む。いくつかの実施形態では、飛行化ペプチドは、少なくとも２個のアミノ酸を含む。いくつかの実施形態では、飛行化ペプチドは、少なくとも３個のアミノ酸を含む。いくつかの実施形態では、飛行化ペプチドは、少なくとも４個のアミノ酸を含む。いくつかの実施形態では、飛行化ペプチドは、少なくとも５個のアミノ酸を含む。いくつかの実施形態では、飛行化ペプチドは、少なくとも６個のアミノ酸を含む。いくつかの実施形態では、Ａβ４２フラグメントの量は、サンプル中のＡβ４２の量と相関する。
【００２５】
特定の実施形態では、本明細書に提供される方法は、Ａβ４２に対するＡβ４０の比（Ａβ４０：Ａβ４２）を検出又は決定することを含む。いくつかの実施形態では、本明細書に提供される方法は、Ａβ４２フラグメントに対するＡβ４０フラグメントの比（Ａβ４０フラグメント：Ａβ４２フラグメント）を検出又は決定することを含む。いくつかの実施形態では、本明細書に提供される方法は、Ａβ４０に対するＡβ４２の比（Ａβ４２：Ａβ４０）を検出又は決定することを含む。いくつかの実施形態では、本明細書に提供される方法は、Ａβ４０フラグメントに対するＡβ４２フラグメントの比（Ａβ４２フラグメント：Ａβ４０フラグメント）を検出又は決定することを含む。
【００２６】
特定の実施形態では、Ａβ４０に対するＡβ４２の比、又はＡβ４０フラグメントに対するＡβ４２フラグメントの比が０．６又はそれ未満であれば、アルツハイマー病が予測される、又はそれと診断される。いくつかの実施形態では、Ａβ４０に対するＡβ４２の比、又はＡβ４０フラグメントに対するＡβ４２フラグメントの比が０．５又はそれ未満であれば、アルツハイマー病が予測される、又はそれと診断される。いくつかの実施形態では、Ａβ４０に対するＡβ４２の比、又はＡβ４０フラグメントに対するＡβ４２フラグメントの比が０．４５又はそれ未満であれば、アルツハイマー病が予測される、又はそれと診断される。いくつかの実施形態では、Ａβ４０に対するＡβ４２の比、又はＡβ４０フラグメントに対するＡβ４２フラグメントの比が０．４又はそれ未満であれば、アルツハイマー病が予測される、又はそれと診断される。いくつかの実施形態では、Ａβ４０に対するＡβ４２の比、又はＡβ４０フラグメントに対するＡβ４２フラグメントの比が０．３５又はそれ未満であれば、アルツハイマー病が予測される、又はそれと診断される。いくつかの実施形態では、Ａβ４０に対するＡβ４２の比、又はＡβ４０フラグメントに対するＡβ４２フラグメントの比が０．３又はそれ未満であれば、アルツハイマー病が予測される、又はそれと診断される。いくつかの実施形態では、Ａβ４０に対するＡβ４２の比、又はＡβ４０フラグメントに対するＡβ４２フラグメントの比が０．２５又はそれ未満であれば、アルツハイマー病が予測される、又はそれと診断される。いくつかの実施形態では、Ａβ４０に対するＡβ４２の比、又はＡβ４０フラグメントに対するＡβ４２フラグメントの比が０．２又はそれ未満であれば、アルツハイマー病が予測される、又はそれと診断される。いくつかの実施形態では、Ａβ４０に対するＡβ４２の比、又はＡβ４０フラグメントに対するＡβ４２フラグメントの比が０．１５又はそれ未満であれば、アルツハイマー病が予測される、又はそれと診断される。
【００２７】
特定の実施形態では、方法は、１つ若しくは複数のＡβ又はそのフラグメントの前駆イオンを生成することを含む。いくつかの実施形態では、前駆イオンの少なくとも１つは、１０８５．６±０．５又は１２６９．７±０．５の質量／電荷の比を有する。いくつかの実施形態では、方法は、１つ若しくは複数のＡβ又はそのフラグメントのフラグメントイオンを生成することを含み得る。いくつかの実施形態では、フラグメントイオンの少なくとも１つは、８１２．３７±０．５、８６９．４±０．５、９６８．４３±０．５、８６９．３９±０．５、９６８．４４±０．５、１０６７．５±０．５、又は１１８０．５７±０．５の質量／電荷の比を有する。
【００２８】
特定の実施形態では、本明細書に提供される方法は、内部標準を添加することを含む。いくつかの実施形態では、内部標準は、同位体で標識された内部標準を含む。いくつかの実施形態では、内部標準は、１３Ｃ１５Ｎ標識を含む。いくつかの実施形態では、内部標準は、１３Ｃ１５Ｎで標識された少なくとも１つのＰｈｅ、Ｌｅｕ、又はＭｅｔを含む。いくつかの実施形態では、内部標準の前駆イオンの少なくとも１つは、１１１０．７±０．５の質量／電荷の比を有する。いくつかの実施形態では、方法は、内部標準の１つ又は複数のフラグメントイオンを生成することを含み得る。いくつかの実施形態では、フラグメントイオンの少なくとも１つは、７６８．４８±０．５、８２５．５±０．５、又は８８２．５２±０．５の質量／電荷の比を有する。
【００２９】
特定の実施形態では、方法の定量限界は、１０ｎｇ／ｍＬ未満、又はそれに等しい。いくつかの実施形態では、方法の定量限界は、５ｎｇ／ｍＬ未満、又はそれに等しい。いくつかの実施形態では、方法の定量限界は、４ｎｇ／ｍＬ未満、又はそれに等しい。いくつかの実施形態では、方法の定量限界は、３ｎｇ／ｍＬ未満、又はそれに等しい。いくつかの実施形態では、方法の定量限界は、２ｎｇ／ｍＬ未満、又はそれに等しい。いくつかの実施形態では、方法の定量限界は、１ｎｇ／ｍＬ未満、又はそれに等しい。いくつかの実施形態では、方法の定量限界は、０．５ｎｇ／ｍＬ未満、又はそれに等しい。いくつかの実施形態では、方法の定量限界は、０．２ｎｇ／ｍＬ未満、又はそれに等しい。いくつかの実施形態では、方法の定量限界は、０．１ｎｇ／ｍＬ未満、又はそれに等しい。
【００３０】
いくつかの実施形態では、方法の検出限界は、５ｎｇ／ｍＬ未満、又はそれに等しい。いくつかの実施形態では、方法の検出限界は、１ｎｇ／ｍＬ未満、又はそれに等しい。いくつかの実施形態では、方法の検出限界は、０．５ｎｇ／ｍＬ未満、又はそれに等しい。いくつかの実施形態では、方法の検出限界は、０．１ｎｇ／ｍＬ未満、又はそれに等しい。いくつかの実施形態では、方法の検出限界は、０．０５ｎｇ／ｍＬ未満、又はそれに等しい。いくつかの実施形態では、方法の検出限界は、０．０１ｎｇ／ｍＬ未満、又はそれに等しい。
【００３１】
いくつかの実施形態では、アミロイドベータは、マススペクトロメトリーの前に誘導体化されない。いくつかの実施形態では、アミロイドベータは、マススペクトロメトリーの前に誘導体化される。
【００３２】
特定の実施形態では、サンプルは、体液である。いくつかの実施形態では、サンプルは、脳脊髄液（ＣＳＦ）である。いくつかの実施形態では、サンプルは、血漿又は血清である。いくつかの実施形態では、サンプルは、全血である。いくつかの実施形態では、サンプルは、唾液又は尿である。
【００３３】
いくつかの実施形態では、方法は、サンプルをタンパク質除去するのに十分な量で、薬剤をサンプルに添加することを含み得る。
【００３４】
本明細書で用いる場合、別途記載がなければ、単数形「ａ」、「ａｎ」、及び「ｔｈｅ」は、複数形の意味を含む。従って、例えば、「１つのタンパク質」と言う場合、複数のタンパク質分子も含まれる。
【００３５】
本明細書で用いる場合、用語「精製」又は「精製すること」とは、サンプルから目的とする分析物以外のすべての物質を除去することを意味しない。むしろ、精製とは、目的とする分析物の検出を妨害する可能性がある、サンプル中のその他の成分と比較して、目的とする１つ又は複数の分析物の量を富化させる手順を意味する。サンプルは、本明細書では、１つ又は複数の妨害物質、例えば、マススペクトロメトリーによる、選択されたアミロイドベータの親及び娘イオンの検出を妨害する１つ又は複数の物質の除去を可能にする様々な手段により精製される。
【００３６】
本明細書で用いる場合、用語「試験サンプル」とは、アミロイドベータを含み得る任意のサンプルを意味する。本明細書で用いる場合、用語「体液」とは、個人の身体から単離可能な任意の液を意味する。例えば、「体液」として、血液、血漿、血清、胆汁、唾液、尿、涙、汗等を挙げることができる。
【００３７】
本明細書で用いる場合、用語「誘導体化すること」とは、２つの分子を反応させて新規分子を形成することを意味する。誘導体化薬は、イソチオシアネート基、ジニトロフルオロフェニル基、ニトロフェノキシカルボニル基、及び／又はフタルアルデヒド基等を含み得る。
【００３８】
本明細書で用いる場合、用語「クロマトグラフィー」とは、液体又は気体により搬送される化学的混合物が、静止した液相又は固相の周辺又は上方を流通する際に、化学的実体の差動的分配の結果として成分に分離するプロセスを意味する。
【００３９】
本明細書で用いる場合、用語「液体クロマトグラフィー」又は「ＬＣ」とは、微細な物質からなるカラムを通じて、又はキャピラリー通路を通じて流体が均一に浸透する際に、流体の溶液の１つ又は複数の成分が選択的に遅延するプロセスを意味する。遅延は、１つ又は複数の固定相とバルク液（すなわち、移動相）の間で、この流体が固定相に対して相対的に移動する際に生ずる、混合物中の成分の分配に起因する。「液体クロマトグラフィー」の例として、逆相液体クロマトグラフィー（ＲＰＬＣ）、高性能液体クロマトグラフィー（ＨＰＬＣ）、及び高乱流液体クロマトグラフィー（ＨＴＬＣ）が挙げられる。
【００４０】
本明細書で用いる場合、用語「高性能液体クロマトグラフィー」又は「ＨＰＬＣ」とは、固定相、一般的には稠密充填カラムを通じて、加圧条件下で移動相に力を加えることにより、分離度が増加する液体クロマトグラフィーを意味する。
【００４１】
本明細書で用いる場合、用語「高乱流液体クロマトグラフィー」又は「ＨＴＬＣ」とは、分離を実施する基本原理として、カラム充填材を通じてアッセイされる物質の乱流を活用するクロマトグラフィーの一形態を意味する。ＨＴＬＣは、マススペクトロメトリーによる分析前に、２つの無名の薬物を含有するサンプルを調製するのに適用されてきた。例えば、Ｚｉｍｍｅｒら、Ｊ．Ｃｈｒｏｍａｔｏｇｒ．Ａ８５４巻：２３〜３５頁（１９９９年）を参照；ＨＴＬＣについて更に説明する米国特許第５，９６８，３６７号、同第５，９１９，３６８号、同第５，７９５，４６９号、及び同第５，７７２，８７４号も参照。当業者は「乱流」について理解している。流体がゆっくりとスムーズに流れる場合、この流れは「層流」と呼ばれる。例えば、ＨＰＬＣカラムを通じて、低い流速で移動する流体は、層流である。層流内では、流体中の粒子の動きは規律正しく、粒子は直線的に移動するのが一般的である。より高速では、水の慣性力が流体の摩擦力を上回り、その結果乱流が生ずる。不規則な境界と接触しない流体は、摩擦により低速化した、又は不均等な表面により向きが変わった流体を「追い越す」。流体が乱れた状態で流れるとき、ぐるぐる渦巻いて（又は渦状に）流れ、流れが層状の場合よりもより「抵抗性」となる。どの場合に流体の流れが層流又は乱流であるか判断するのに役立つ多くの参考資料が入手可能である（例えば、Ｔｕｒｂｕｌｅｎｔ  Ｆｌｏｗ  Ａｎａｌｙｓｉｓ：Ｍｅａｓｕｒｅｍｅｎｔ  ａｎｄ  Ｐｒｅｄｉｃｔｉｏｎ、Ｐ．Ｓ．Ｂｅｒｎａｒｄ＆Ｊ．Ｍ．Ｗａｌｌａｃｅ、Ｊｏｈｎ  Ｗｉｌｅｙ＆Ｓｏｎｓ、Ｉｎｃ．、（２０００年）；Ａｎ  Ｉｎｔｒｏｄｕｃｔｉｏｎ  ｔｏ  Ｔｕｒｂｕｌｅｎｔ  Ｆｌｏｗ  Ｆｌｏｗ、Ｊｅａｎ  Ｍａｔｈｉｅｕ＆Ｊｕｌｉａｎ  Ｓｃｏｔｔ、Ｃａｍｂｒｉｄｇｅ  Ｕｎｉｖｅｒｓｉｔｙ  Ｐｒｅｓｓ（２００１年））。
【００４２】
本明細書で用いる場合、用語「ガスクロマトグラフィー」又は「ＧＣ」とは、サンプル混合物が気化され、そして液体又は微粒子固体から構成される固定相を含有するカラムを通じて移動するキャリヤガス（窒素又はヘリウム）の流れの中に注入され、そして化合物の固定相に対する親和性に基づき、その構成化合物に分離されるクロマトグラフィーを意味する。
【００４３】
本明細書で用いる場合、用語「大型の粒子カラム」又は「抽出カラム」とは、約３５μｍを上回る平均粒子径を含有するクロマトグラフィーカラムを意味する。この文脈で使用される場合、用語「約」とは±１０％を意味する。好ましい実施形態では、カラムは、直径約６０μｍの粒子を含有する。
【００４４】
本明細書で用いる場合、用語「分析カラム」は、カラムから溶出するサンプル中の物質について、分析物の存否又は量の決定を可能にするのに十分な分離を有効にする、十分なクロマトグラフプレートを有するクロマトグラフィーカラムを意味する。そのようなカラムは、更なる分析用として精製されたサンプルを取得するために、保持された物質を保持されない物質から分離又は抽出するという一般的な目的を有する「抽出カラム」から多くの場合区別される。この文脈で使用される場合、用語「約」とは、±１０％を意味する。好ましい実施形態では、分析カラムは、直径約４μｍの粒子を含有する。
【００４５】
本明細書で用いる場合、例えば「オンライン自動化方式」又は「オンライン抽出」として使用されるような用語「オンライン」又は「インライン」とは、オペレーターの介入を必要とせずに実施される手順を意味する。対照的に、用語「オフライン」とは、本明細書で使用する場合、オペレーターの手動介入を必要とする手順を意味する。従って、サンプルが沈殿処理され、そして次に上清が手作業によりオートサンプラーに負荷される場合、沈殿及び負荷ステップは後続ステップからオフラインの状態にある。本方法の様々な実施形態では、１つ又は複数のステップが、オンライン自動化方式で実施され得る。
【００４６】
本明細書で用いる場合、用語「マススペクトロメトリー」又は「ＭＳ」とは、化合物をその質量別に識別する分析技法を意味する。ＭＳは、イオンを、その質量対電荷の比、又は「ｍ／ｚ」に基づきフィルター処理、検出、及び測定する方法を意味する。ＭＳ技術は、（１）化合物をイオン化して、荷電した化合物を形成すること；及び（２）荷電した化合物の分子量を検出し、そして質量対電荷の比を計算すること一般的に含む。化合物は、任意の適する手段によりイオン化及び検出され得る。「質量分析装置」は、イオン化装置及びイオン検出器を一般的に含む。一般的に、１つ又は複数の目的とする分子がイオン化され、イオンがその後マススペクトログラフィック装置に導入され、そこでは磁場と電場の組合せにより、イオンは、質量（「ｍ」）及び電荷（「ｚ」）に依存する空間内の経路をたどる。例えば、「Ｍａｓｓ  Ｓｐｅｃｔｒｏｍｅｔｒｙ  Ｆｒｏｍ  Ｓｕｒｆａｃｅｓ」と題する米国特許第６，２０４，５００号、「Ｍｅｔｈｏｄｓ  Ａｎｄ  Ａｐｐａｒａｔｕｓ  ｆｏｒ  Ｔａｎｄｅｍ  Ｍａｓｓ  Ｓｐｅｃｔｒｏｍｅｔｒｙ」と題する同第６，１０７，６２３号、「ＤＮＡ  Ｄｉａｇｎｏｓｔｉｃｓ  Ｂａｓｅｄ  Ｏｎ  Ｍａｓｓ  Ｓｐｅｃｔｒｏｍｅｔｒｙ」と題する同第６，２６８，１４４号、「Ｓｕｒｆａｃｅ−Ｅｎｈａｎｃｅｄ  Ｐｈｏｔｏｌａｂｉｌｅ  Ａｔｔａｃｈｍｅｎｔ  Ａｎｄ  Ｒｅｌｅａｓｅ  Ｆｏｒ  Ｄｅｓｏｒｐｔｉｏｎ  Ａｎｄ  Ｄｅｔｅｃｔｉｏｎ  Ｏｆ  Ａｎａｌｙｔｅｓ」と題する同第６，１２４，１３７号、Ｗｒｉｇｈｔら、Ｐｒｏｓｔａｔｅ  Ｃａｎｃｅｒ  ａｎｄ  Ｐｒｏｓｔａｔｉｃ  Ｄｉｓｅａｓｅｓ、第２巻：２６４〜７６頁（１９９９年）；並びにＭｅｒｃｈａｎｔ及びＷｅｉｎｂｅｒｇｅｒ、Ｅｌｅｃｔｒｏｐｈｏｒｅｓｉｓ、第２１巻：１１６４〜６７頁（２０００年）を参照。
【００４７】
本明細書で用いる場合、用語「陰イオンモードでの操作」とは、陰イオンが生成及び検出されるマススペクトロメトリー法を意味する。用語「陽イオンモードでの操作」とは、本明細書で用いる場合、陽イオンが生成及び検出されるマススペクトロメトリー法を意味する。
【００４８】
本明細書で用いる場合、用語「イオン化」又は「イオン化すること」とは、１又は複数のエレクトロンユニットに等しい正味の電荷を有する分析物イオンを生成するプロセスを意味する。陰イオンは、１又は複数のエレクトロンユニットの正味負電荷を有するイオンである一方、陽イオンは、１又は複数のエレクトロンユニットの正味正電荷を有するイオンである。
【００４９】
本明細書で用いる場合、用語「電子イオン化法」又は「ＥＩ法」とは、気相〔gaseous phase〕又は気相〔vapor phase〕の目的とする分析物が電子の流れと相互作用する方法を意味する。分析物への電子の衝撃は分析物イオンを産生し、次にマススペクトロメトリー技術の対象となり得る。
【００５０】
本明細書で用いる場合、用語「化学イオン化法」又は「ＣＩ法」とは、試薬気体（例えば、アンモニア）が電子の衝撃を受け、そして試薬気体イオンと分析物分子との相互作用により、分析物イオンが形成される方法を意味する。
【００５１】
本明細書で用いる場合、用語「高速原子衝撃法」又は「ＦＡＢ法」とは、高エネルギー原子（多くの場合Ｘｅ又はＡｒ）のビームが、不揮発性サンプルに衝撃を与え、サンプルに含まれる分子を脱離及びイオン化させる方法を意味する。試験サンプルは、粘稠性の液体マトリックス、例えばグリセロール、チオグリセロール、ｍ−ニトロベンジルアルコール、１８−クラウン−６−クラウンエーテル、２−ニトロフェニルオクチルエーテル、スルホラン、ジエタノールアミン、及びトリエタノールアミン等に溶解する。化合物又はサンプルに適するマトリックスの選択は、実験に基づいたプロセスである。
【００５２】
本明細書で用いる場合、用語「マトリックス支援レーザー脱離イオン化法」又は「ＭＡＬＤＩ」とは、光イオン化、プロトン化、脱プロトン化、及びクラスター崩壊を含む様々なイオン化経路によって、不揮発性サンプルが、サンプル中の分析物を脱離及びイオン化させるレーザー照射に曝露される方法を意味する。ＭＡＬＤＩの場合、サンプルは、分析物分子の脱離を促進するエネルギー吸収性マトリックスと混合される。
【００５３】
本明細書で用いる場合、用語「表面増強レーザー脱離イオン化法」又は「ＳＥＬＤＩ法」とは、光イオン化、プロトン化、脱プロトン化、及びクラスター崩壊を含む様々なイオン化経路によって、非揮発性サンプルが、サンプル中の分析物を脱離及びイオン化させるレーザー照射に曝露される別の方法を意味する。ＳＥＬＤＩでは、サンプルは、１つ又は複数の目的とする分析物を優先的に保持する表面に一般的に結合する。ＭＡＬＤＩと同様に、このプロセスも、イオン化を促進するために、エネルギー吸収性材料を利用し得る。
【００５４】
本明細書で用いる場合、用語「エレクトロスプレーイオン化法」又は「ＥＳＩ法」は、溶液が短尺のキャピラリー管に沿って通過し、そのキャピラリー管の端部に正又は負の高電位が印加される方法を意味する。溶液が管の端部に到達すると気化（噴霧化）されて、溶媒蒸気内で溶液の非常に小さい液滴からなるジェット又はスプレーとなる。この液滴のミストは、凝結を防止し、溶媒を蒸発させるためにわずかに加熱された蒸発チャンバーを流通する。液滴がより小型になるに従い、表面電荷密度は増加し、やがて同一荷電間で自然反発して、イオン並びに中性分子の放出が引き起こされる。
【００５５】
本明細書で用いる場合、用語「大気圧化学イオン化法」又は「ＡＰＣＩ法」とは、ＥＳＩと類似する質量分析法を意味するが、しかしＡＰＣＩは、大気圧でプラズマ内に生ずるイオン−分子反応によりイオンを産生する。プラズマは、スプレーキャピラリーと対電極の間の放電により維持される。次にイオンは、差次的にポンプ搬送される一連のスキマーステージの使用により質量分析器中に一般的に抽出される。乾燥及び事前加熱されたＮ２ガスの向流を使用して、溶媒の除去を改善することができる。極性がより低い種を分析する場合、ＡＰＣＩにおける気相イオン化の方がＥＳＩよりも有効であり得る。
【００５６】
用語「大気圧光イオン化法」又は「ＡＰＰＩ法」とは、本明細書で使用する場合、分子Ｍを光イオン化する機構が、分子イオンＭ＋を形成する光子吸収及び電子放出である質量分析法の形態を意味する。光子エネルギーは、一般的にイオン化電位のすぐ上にあるので、分子イオンは、それほど解離しやすくない。多くの場合、クロマトグラフィーを必要とせずにサンプルを分析することができると考えられ、従ってかなりの時間及び出費が抑えられる。水蒸気又はプロトン性溶媒の存在下で、分子イオンは、Ｈを取り出してＭＨ＋を形成することができる。これは、Ｍが高プロトン親和性を有する場合に生ずる傾向がある。Ｍ＋とＭＨ＋の合計は一定なので、これは定量の正確性に影響を及ぼさない。プロトン性溶媒中の薬物化合物は、通常ＭＨ＋として観察される一方、非極性化合物、例えばナフタレン又はテストステロン等は、通常Ｍ＋の形態を採る。Ｒｏｂｂ、Ｄ．Ｂ．、Ｃｏｖｅｙ、Ｔ．Ｒ．及びＢｒｕｉｎｓ、Ａ．Ｐ．（２０００年）：例えば、Ｒｏｂｂら、Ａｔｍｏｓｐｈｅｒｉｃ  ｐｒｅｓｓｕｒｅ  ｐｈｏｔｏｉｏｎｉｚａｔｉｏｎ：Ａｎ  ｉｏｎｉｚａｔｉｏｎ  ｍｅｔｈｏｄ  ｆｏｒ  ｌｉｑｕｉｄ  ｃｈｒｏｍａｔｏｇｒａｐｈｙ−ｍａｓｓ  ｓｐｅｃｔｒｏｍｅｔｒｙ．Ａｎａｌ．Ｃｈｅｍ．第７２巻（１５号）：３６５３〜３６５９頁を参照。
【００５７】
本明細書で用いる場合、用語「誘導結合プラズマ法」又は「ＩＣＰ法」とは、ほとんどの元素が微粒化及びイオン化されるような十分に高温度において、サンプルが部分的にイオン化した気体と相互作用する方法を意味する。
【００５８】
本明細書で用いる場合、用語「電界脱離法」とは、非揮発性の試験サンプルがイオン化表面上に配置され、そして分析物イオンを生成するのに強電界が使用される方法を意味する。
【００５９】
本明細書で用いる場合、用語「脱離」とは、表面から分析物を取り出すこと、及び／又は分析物を気相に導入することを意味する。
【００６０】
本明細書で用いる場合、用語「定量化限界〔limit of quantification〕」、「定量限界〔limit of quantitation〕」、又は「ＬＯＱ」とは、測定が定量的に意味を有するようになるポイントを意味する。このＬＯＱにおける分析物の応答は、識別可能であり、個別的であり、並びに２０％の精密度及び８０％〜１２０％の正確度で再現性を有する。
【００６１】
本明細書で用いる場合、用語「検出限界」又は「ＬＯＤ」は、測定値が、それと関連した不確実性より大きくなるポイントである。ＬＯＤは、ゼロ濃度から２標準偏差（ＳＤ）として任意に定義される。
【００６２】
本明細書で用いる場合、体液サンプル中のアミロイドベータの「量」とは、体液の容積中で検出可能なアミロイドベータの質量を反映する絶対値を一般的に意味する。但し、量は、別のアミロイドベータの量と比較した相対的な量についても考慮する。例えば、体液中のアミロイドベータの量は、通常存在するアミロイドベータの対照レベル又は正常レベルを上回る又はそれ未満である量であり得る。
【００６３】
用語「約」とは、イオン質量測定を除き定量測定と関連して本明細書で使用する場合、表示の数値±１０％を意味する。マススペクトロメトリー装置は、所与の分析物の質量を決定する際に、ほとんど変化し得ない。用語「約」とは、イオンの質量又はイオンの質量／電荷の比の文脈において、±０．５原子質量単位を意味する。
【００６４】
上記した本発明の概要は、非限定的であり、また本発明のその他の特性及び長所は、下記の発明を実施するための形態から、及び特許請求の範囲から明白である。
【図面の簡単な説明】
【００６５】
【図１】Ａβ４０（配列番号１）、Ａβ４０フラグメント（配列番号２）、Ａβ４２（配列番号３）、及びＡβ４２フラグメント（配列番号４）の配列を示す図である。
【図２−１】液体クロマトグラフィー法の情報を示す図である。水に溶解した０．１％ＦＡを移動相Ａ、及びＡＣＮに溶解した０．１％ＦＡを移動相Ｂとして使用した。
【図２−２】（図２−１のつづき）液体クロマトグラフィー法の情報を示す図である。水に溶解した０．１％ＦＡを移動相Ａ、及びＡＣＮに溶解した０．１％ＦＡを移動相Ｂとして使用した。
【図３】加熱したエレクトロスプレーイオン化（ＨＥＳＩ）のイオン源条件を示す図である。
【図４】Ａβ４２分析の直線範囲を示す図である。
【図５】Ａβ４０分析の直線範囲を示す図である。
【図６−１】Ａβ４０、Ａβ４２、及び内部標準の患者クロマトグラムの例を示す図である。
【図６−２】（図６−１のつづき）Ａβ４０、Ａβ４２、及び内部標準の患者クロマトグラムの例を示す図である。
【図７−１】Ａβ４０、Ａβ４２、及び内部標準の患者クロマトグラムの例を示す図である。
【図７−２】（図７−１のつづき）Ａβ４０、Ａβ４２、及び内部標準の患者クロマトグラムの例を示す図である。
【図８】アルツハイマー病患者９１例、ボーダーラインのアルツハイマー病患者６６例、及び正常な対象を含む、対象２１１例のＡβ４２：Ａβ４０の比を示す図である。
【図９】女性と男性のアルツハイマー病患者におけるＡβ４２：Ａβ４０の比を示す図である。
【図１０】アルツハイマー病患者の年齢で階層化された群におけるＡβ４２：Ａβ４０の比を示す図である。
【図１１】Ｃ８とＣ４分析カラムの間での感度比較を示す図である。
【図１２】処理チューブと未処理チューブに由来するＡβ４０の回収率を示す図である。
【図１３】処理チューブと未処理チューブに由来するＡβ４２の回収率を示す図である。
【図１４】Ａβ４０減少レベルによるソート後の患者Ａβ値（ｐｇ／ｍＬ）を示す図である。
【図１５】Ａβ４２減少レベルによるソート後の患者Ａβ値（ｐｇ／ｍＬ）を示す図である。
【図１６】Ａβ４２／Ａβ４０値によるソート後の患者アルツハイマー病診断を示す図である。
【図１７】Ａβ４２／Ａβ４０の比に基づく患者アルツハイマー病診断を示す図である。
【発明を実施するための形態】
【００６６】
タンデム型質量分析などのマススペクトロメトリーにより、サンプル中のアミロイドベータ（Ａβ）の量を検出又は決定する方法が、本明細書に提供される。特定の実施形態では、アミロイドベータの量を決定するための本明細書に提供される方法は、（ａ）サンプル中のアミロイドベータを精製すること；（ｂ）前記サンプル中のアミロイドベータをイオン化すること；及び（ｃ）マススペクトロメトリーにより、アミロイドベータイオンの量を決定することを含み、アミロイドベータイオンの量は、サンプル中のアミロイドベータの量と関連する。
【００６７】
特定の実施形態では、アミロイドベータの量を決定するための本明細書に提供される方法は、（ａ）サンプル中のアミロイドベータを精製すること；（ｂ）前記サンプル中のアミロイドベータをイオン化して、アミロイドベータの前駆イオンを産生すること；（ｃ）１つ又は複数のアミロイドベータフラグメントのイオンを生成すること；及び（ｄ）マススペクトロメトリーにより、ステップ（ｃ）若しくは（ｄ）又はその両方からのイオンの量を決定することを含み、アミロイドベータイオンの量は、サンプル中のアミロイドベータの量と関連する。
【００６８】
特定の実施形態では、アミロイドベータの量を決定するための本明細書に提供される方法は、（ａ）サンプル中のアミロイドベータを消化して、１つ又は複数のアミロイドベータフラグメントを生成すること；（ｂ）前記１つ又は複数のアミロイドベータフラグメントを精製すること；（ｃ）サンプル中のアミロイドベータをイオン化して、アミロイドベータの前駆イオンを産生すること；（ｄ）１つ又は複数のアミロイドベータフラグメントのイオンを生成すること；及び（ｅ）マススペクトロメトリーにより、ステップ（ｃ）若しくは（ｄ）又はその両方からのイオンの量を決定することを含み、アミロイドベータイオンの量が、前記サンプル中のアミロイドベータの量と関連する。
【００６９】
特定の実施形態では、アミロイドベータ４２（Ａβ４２）の量を決定する方法が、本明細書に提供される。いくつかの実施形態では、Ａβ４２フラグメントは、配列ＧＡＩＩＧＬＭＶＧＧＶＶＩＡ（配列番号４）を含む。いくつかの実施形態では、方法は、（ａ）サンプル中のアミロイドベータを消化して、アミロイドベータ４２（Ａβ４２）を生成すること；（ｂ）Ａβ４２を精製すること；（ｃ）Ａβ４２をイオン化して、前駆イオンを産生すること；（ｄ）１つ又は複数のＡβ４２のフラグメントイオンを生成すること；及び（ｅ）マススペクトロメトリーにより、ステップ（ｃ）若しくは（ｄ）又はその両方からのイオンの量を決定することを含み、イオンの量は、サンプル中のＡβ４２の量と関連する。
【００７０】
特定の実施形態では、アミロイドベータ４０（Ａβ４０）の量を決定する方法が、本明細書に提供される。いくつかの実施形態では、Ａβ４０フラグメントは、配列ＧＡＩＩＧＬＭＶＧＧＶＶ（配列番号２）を含む。いくつかの実施形態では、方法は、（ａ）サンプル中のアミロイドベータを消化して、アミロイドベータ４０（Ａβ４０）を生成すること；（ｂ）Ａβ４０を精製すること；（ｃ）Ａβ４０をイオン化して、前駆イオンを産生すること；（ｄ）１つ又は複数のＡβ４０のフラグメントイオンを生成すること；及び（ｅ）マススペクトロメトリーにより、ステップ（ｃ）若しくは（ｄ）又はその両方からのイオンの量を決定することを含み、イオンの量は、サンプル中のＡβ４０の量と関連する。
【００７１】
特定の実施形態では、アミロイドベータ４２（Ａβ４２）及びアミロイドベータ４０（Ａβ４０）の量を決定する方法が、本明細書に提供される。いくつかの実施形態では、方法は、（ａ）サンプル中のアミロイドベータを消化して、アミロイドベータ４２（Ａβ４２）及びアミロイドベータ４０（Ａβ４０）を生成すること；（ｂ）Ａβ４２及びＡβ４０を精製すること；（ｃ）Ａβ４２及びＡβ４０をイオン化して、前駆イオンを産生すること；（ｄ）１つ又は複数のＡβ４２及びＡβ４０のフラグメントイオンを生成すること；及び（ｅ）マススペクトロメトリーにより、ステップ（ｃ）若しくは（ｄ）又はその両方からのイオンの量を決定することを含み、イオンの量は、サンプル中のＡβ４２及びＡβ４０の量と関連する。
【００７２】
特定の実施形態では、アミロイドベータ４０（Ａβ４０）に対するアミロイドベータ４２（Ａβ４２）の比を決定する方法が、本明細書に提供される。いくつかの実施形態では、方法は、（ａ）サンプル中のアミロイドベータを消化して、アミロイドベータ４２（Ａβ４２）及びアミロイドベータ４０（Ａβ４０）を生成すること；（ｂ）Ａβ４２及びＡβ４０を精製すること；（ｃ）Ａβ４２及びＡβ４０をイオン化して、前駆イオンを産生すること；（ｄ）１つ又は複数のＡβ４２及びＡβ４０のフラグメントイオンを生成すること；及び（ｅ）マススペクトロメトリーにより、ステップ（ｃ）若しくは（ｄ）又はその両方からのイオンの量を決定すること；及び（ｆ）Ａβ４０に対するＡβ４２の比を決定することを含む。いくつかの実施形態では、方法は、Ａβ４２に対するＡβ４０の比を決定することを含む。
【００７３】
特定の実施形態では、アルツハイマー病又は認知症を診断又は予測する方法であって、試験サンプル中のアミロイドベータの量を、マススペクトロメトリーにより決定することを含み、アミロイドベータのレベルが異常であれば、アルツハイマー病が予測又は診断される、方法が本明細書に提供される。いくつかの実施形態では、方法は、（ａ）サンプル中のアミロイドベータを精製すること；（ｂ）前記サンプル中のアミロイドベータをイオン化すること；及び（ｃ）アミロイドベータイオンの量を、マススペクトロメトリーにより決定すること；及び（ｄ）アミロイドベータイオンの量を、前記サンプル中のアミロイドベータの量と関連付けることを含み得、アミロイドベータのレベルが異常であれば、アルツハイマー病が予測又は診断される。いくつかの実施形態では、方法は、アミロイドベータフラグメントの比を決定することを含む。いくつかの実施形態では、方法は、アミロイドベータ４０（Ａβ４０）に対するアミロイドベータ４２（Ａβ４２）の比を決定することを含む。いくつかの実施形態では、方法は、アミロイドベータ４０（Ａβ４２）に対するアミロイドベータ４２（Ａβ４０）の比を決定することを含む。
【００７４】
特定の実施形態では、本明細書に提供される方法は、サンプルと接触する機器の表面を事前処理することを含む。いくつかの実施形態では、事前処理は、機器の表面を、アミロイドベータ又はそのフラグメントが表面に固着するのを防止する薬剤で事前コーティングすることを含む。いくつかの実施形態では、事前処理は、溶菌液による事前処理を含む。いくつかの実施形態では、事前処理は、大腸菌溶解物による事前処理を含む。いくつかの実施形態では、大腸菌溶解物は、トリプシン消化大腸菌溶解物を含む。いくつかの実施形態では、事前処理された機器として、試験管又はプレート、ピペットチップ、サンプル調製装置、液体クロマトグラフィー装置、及びマススペクトロメトリー装置が挙げられるが、但し、これらに限定されない。
【００７５】
特定の実施形態では、本明細書に提供される方法は、アミロイドベータ又はそのフラグメントを安定化させる薬剤を用いてサンプルを処理する、又はそれと共にインキュベートすることを含む。いくつかの実施形態では、本明細書に提供される方法は、サンプルをアミロイドベータ抗体で処理すること、又はそれと共にインキュベートすることを含む。いくつかの実施形態では、本明細書に提供される方法は、サンプルを少なくとも２つの異なるアミロイドベータ抗体で処理する、又はそれと共にインキュベートすることを含む。いくつかの実施形態では、アミロイドベータ抗体は、アミロイドベータのＣ末端と結合する抗体を含む。いくつかの実施形態では、アミロイドベータ抗体は、アミロイドベータのＮ末端と結合する抗体を含む。いくつかの実施形態では、アミロイドベータを安定化させる薬剤は、アポリポタンパク質を含む。いくつかの実施形態では、アミロイドベータを安定化させる薬剤は、アポリポタンパク質Ｅ２を含む。いくつかの実施形態では、アミロイドベータを安定化させる薬剤は、アポリポタンパク質Ｅ４を含む。いくつかの実施形態では、アミロイドベータを安定化させる薬剤は、アミロイドベータのＣ末端と結合する抗体、アミロイドベータのＮ末端と結合する抗体、アポリポタンパク質Ｅ２、アポリポタンパク質Ｅ４、又はその組合せを含む。いくつかの実施形態では、本明細書に提供されるアミロイドベータを安定化させる薬剤は、−７０℃で少なくとも１カ月間、安定性を付与する。いくつかの実施形態では、本明細書に提供されるアミロイドベータを安定化させる薬剤は、−７０℃で少なくとも２カ月間、安定性を付与する。いくつかの実施形態では、本明細書に提供されるアミロイドベータを安定化させる薬剤は、−７０℃で少なくとも３カ月間、安定性を付与する。いくつかの実施形態では、本明細書に提供されるアミロイドベータを安定化させる薬剤は、凍結−解凍サイクルにわたり、安定性を付与する。いくつかの実施形態では、本明細書に提供されるアミロイドベータを安定化させる薬剤は、少なくとも２回の凍結−解凍サイクルにわたり、安定性を付与する。いくつかの実施形態では、本明細書に提供されるアミロイドベータを安定化させる薬剤は、少なくとも３回の凍結−解凍サイクルにわたり、安定性を付与する。いくつかの実施形態では、本明細書に提供されるアミロイドベータを安定化させる薬剤は、少なくとも４回の凍結−解凍サイクルにわたり、安定性を付与する。
【００７６】
特定の実施形態では、本明細書に提供される方法は、サンプル中のアミロイドベータを消化することを含む。いくつかの実施形態では、本明細書に提供される方法は、酵素によりアミロイドベータを消化することを含む。いくつかの実施形態では、酵素は、Ｌｙｓ−Ｃである。いくつかの実施形態では、本明細書に提供される方法は、尿素によりアミロイドベータを消化することを含む。いくつかの実施形態では、尿素は、タンパク質消化に適する濃度を有する。いくつかの実施形態では、尿素は６Ｍ尿素である。いくつかの実施形態では、本明細書に提供される方法は、尿素及びＬｙｓ−Ｃによりアミロイドベータを消化することを含む。いくつかの実施形態では、消化は、消化時間を短縮する又は消化効率を高める条件で消化することを含む。いくつかの実施形態では、消化は、マイクロ波中で消化することを含む。
【００７７】
特定の実施形態では、本明細書に提供される方法は、抽出を含む。いくつかの実施形態では、本明細書に提供される方法は、混合モード陰イオン交換抽出を含む。いくつかの実施形態では、本明細書に提供される方法は、固相抽出を含む。
【００７８】
特定の実施形態では、本明細書に提供される方法は、加熱された窒素を使用してサンプルを溶出及び乾燥させることを含む。いくつかの実施形態では、サンプルは、再構成用バッファー中で再懸濁される。
【００７９】
特定の実施形態では、サンプルを精製することは、液体クロマトグラフィーを含む。いくつかの実施形態では、液体クロマトグラフィーとして、逆相液体クロマトグラフィー（ＲＰＬＣ）、高性能液体クロマトグラフィー（ＨＰＬＣ）、及び高乱流液体クロマトグラフィー（ＨＴＬＣ）が挙げられるが、但し、これらに限定されない。好ましい実施形態では、液体クロマトグラフィーは、ＨＰＬＣを含む。いくつかの実施形態では、ＨＰＬＣカラムは、化学的部分の分離（すなわち、分画）を促進する媒体（すなわち、充填材料）を一般的に含む。適するカラムは、Ｃ−４、Ｃ−８、Ｃ−１２、又はＣ−１８カラムを含み得る。好ましい実施形態では、適するＨＰＬＣカラムはＣ−４カラムである。
【００８０】
特定の実施形態では、本明細書に提供される方法は、アミロイドベータの機器表面への固着を低下させる機器を使用することを含む。いくつかの実施形態では、機器は、ＰＥＥＫ（ポリエーテルエーテルケトン）チューブ又は装置を備える。いくつかの実施形態では、機器は、金属チューブ又は装置を含む。
【００８１】
特定の実施形態では、本明細書に提供される方法は、タンデム型質量分析法を含む。いくつかの実施形態では、本明細書に提供される方法は、ポジティブモードでイオン化することを含む。いくつかの実施形態では、本明細書に提供される方法は、ネガティブモードでイオン化することを含む。いくつかの実施形態では、本明細書に提供される方法は、加熱式エレクトロスプレーイオン化法（ＨＥＳＩ）を使用してイオン化させることを含む。いくつかの実施形態では、本明細書に提供される方法は、エレクトロスプレーイオン化法（ＥＳＩ）を使用してイオン化させることを含む。いくつかの実施形態では、本明細書に提供される方法は、大気圧化学イオン化法（ＡＰＣＩ）を使用してイオン化させることを含む。好ましい実施形態では、本明細書に提供される方法は、加熱式エレクトロスプレーイオン化法（ＨＥＳＩ）を使用して、ポジティブモードでイオン化することを含む。いくつかの実施形態では、衝突エネルギーは、５Ｖ〜６０Ｖである。いくつかの実施形態では、衝突エネルギーは、１０Ｖ〜５０Ｖである。いくつかの実施形態では、衝突エネルギーは、２０Ｖ〜５０Ｖである。いくつかの実施形態では、衝突エネルギーは、２０Ｖ〜４５Ｖである。
【００８２】
特定の実施形態では、本明細書に提供される方法は、アミロイドベータ４０（Ａβ４０）の量を検出又は決定することを含む。いくつかの実施形態では、Ａβ４０は、配列ＤＡＥＦＲＨＤＳＧＹＥＶＨＨＱＫＬＶＦＦＡＥＤＶＧＳＮＫＧＡＩＩＧＬＭＶＧＧＶＶ（配列番号１）を含む。いくつかの実施形態では、本明細書に提供される方法は、Ａβ４０のフラグメントの量を検出又は決定することを含む。いくつかの実施形態では、Ａβ４０フラグメントは、配列ＧＡＩＩＧＬＭＶＧＧＶＶ（配列番号２）を含む。いくつかの実施形態では、Ａβ４０フラグメントは、Ｎ末端又はＣ末端飛行化ペプチドを含有する配列を含む。いくつかの実施形態では、Ａβ４０フラグメントは、配列番号２、及びＮ末端又はＣ末端飛行化ペプチドを含む。いくつかの実施形態では、飛行化ペプチドは、親水性である。いくつかの実施形態では、飛行化ペプチドは、少なくとも１個のアミノ酸を含む。いくつかの実施形態では、飛行化ペプチドは、少なくとも２個のアミノ酸を含む。いくつかの実施形態では、飛行化ペプチドは、少なくとも３個のアミノ酸を含む。いくつかの実施形態では、飛行化ペプチドは、少なくとも４個のアミノ酸を含む。いくつかの実施形態では、飛行化ペプチドは、少なくとも５個のアミノ酸を含む。いくつかの実施形態では、飛行化ペプチドは、少なくとも６個のアミノ酸を含む。いくつかの実施形態では、Ａβ４０フラグメントの量は、サンプル中でＡβ４０の量と相関する。
【００８３】
特定の実施形態では、本明細書に提供される方法は、アミロイドベータ４２（Ａβ４２）の量を検出又は決定することを含む。いくつかの実施形態では、Ａβ４２は、配列ＤＡＥＦＲＨＤＳＧＹＥＶＨＨＱＫＬＶＦＦＡＥＤＶＧＳＮＫＧＡＩＩＧＬＭＶＧＧＶＶＩＡ（配列番号３）を含む。いくつかの実施形態では、本明細書に提供される方法は、Ａβ４２のフラグメントの量を検出又は決定することを含む。いくつかの実施形態では、Ａβ４２フラグメントは、配列ＧＡＩＩＧＬＭＶＧＧＶＶＩＡ（配列番号４）を含む。いくつかの実施形態では、Ａβ４２フラグメントは、Ｎ末端又はＣ末端飛行化ペプチドを含有する配列を含む。いくつかの実施形態では、Ａβ４２フラグメントは、配列番号４、及びＮ末端又はＣ末端飛行化ペプチドを含む。いくつかの実施形態では、飛行化ペプチドは、親水性である。いくつかの実施形態では、飛行化ペプチドは、少なくとも１個のアミノ酸を含む。いくつかの実施形態では、飛行化ペプチドは、少なくとも２個のアミノ酸を含む。いくつかの実施形態では、飛行化ペプチドは、少なくとも３個のアミノ酸を含む。いくつかの実施形態では、飛行化ペプチドは、少なくとも４個のアミノ酸を含む。いくつかの実施形態では、飛行化ペプチドは、少なくとも５個のアミノ酸を含む。いくつかの実施形態では、飛行化ペプチドは、少なくとも６個のアミノ酸を含む。いくつかの実施形態では、Ａβ４２フラグメントの量は、サンプル中のＡβ４２の量と相関する。
【００８４】
特定の実施形態では、本明細書に提供される方法は、Ａβ４２に対するＡβ４０の比（Ａβ４０：Ａβ４２）を検出又は決定することを含む。いくつかの実施形態では、本明細書に提供される方法は、Ａβ４２フラグメントに対するＡβ４０フラグメントの比（Ａβ４０フラグメント：Ａβ４２フラグメント）を検出又は決定することを含む。いくつかの実施形態では、本明細書に提供される方法は、Ａβ４０に対するＡβ４２の比（Ａβ４２：Ａβ４０）を検出又は決定することを含む。いくつかの実施形態では、本明細書に提供される方法は、Ａβ４０フラグメントに対するＡβ４２フラグメントの比（Ａβ４２フラグメント：Ａβ４０フラグメント）を検出又は決定することを含む。
【００８５】
特定の実施形態では、Ａβ４０に対するＡβ４２の比、又はＡβ４０フラグメントに対するＡβ４２フラグメントの比が０．６又はそれ未満であれば、アルツハイマー病が予測される、又はそれと診断される。いくつかの実施形態では、Ａβ４０に対するＡβ４２の比、又はＡβ４０フラグメントに対するＡβ４２フラグメントの比が０．５又はそれ未満であれば、アルツハイマー病が予測される、又はそれと診断される。いくつかの実施形態では、Ａβ４０に対するＡβ４２の比、又はＡβ４０フラグメントに対するＡβ４２フラグメントの比が０．４５又はそれ未満であれば、アルツハイマー病が予測される、又はそれと診断される。いくつかの実施形態では、Ａβ４０に対するＡβ４２の比、又はＡβ４０フラグメントに対するＡβ４２フラグメントの比が０．４又はそれ未満であれば、アルツハイマー病が予測される、又はそれと診断される。いくつかの実施形態では、Ａβ４０に対するＡβ４２の比、又はＡβ４０フラグメントに対するＡβ４２フラグメントの比が０．３５又はそれ未満であれば、アルツハイマー病が予測される、又はそれと診断される。いくつかの実施形態では、Ａβ４０に対するＡβ４２の比、又はＡβ４０フラグメントに対するＡβ４２フラグメントの比が０．３又はそれ未満であれば、アルツハイマー病が予測される、又はそれと診断される。いくつかの実施形態では、Ａβ４０に対するＡβ４２の比、又はＡβ４０フラグメントに対するＡβ４２フラグメントの比が０．２５又はそれ未満であれば、アルツハイマー病が予測される、又はそれと診断される。いくつかの実施形態では、Ａβ４０に対するＡβ４２の比、又はＡβ４０フラグメントに対するＡβ４２フラグメントの比が０．２又はそれ未満であれば、アルツハイマー病が予測される、又はそれと診断される。いくつかの実施形態では、Ａβ４０に対するＡβ４２の比、又はＡβ４０フラグメントに対するＡβ４２フラグメントの比が０．１９又はそれ未満であれば、アルツハイマー病が予測される、又はそれと診断される。いくつかの実施形態では、Ａβ４０に対するＡβ４２の比、又はＡβ４０フラグメントに対するＡβ４２フラグメントの比が０．１８又はそれ未満であれば、アルツハイマー病が予測される、又はそれと診断される。いくつかの実施形態では、Ａβ４０に対するＡβ４２の比、又はＡβ４０フラグメントに対するＡβ４２フラグメントの比が０．１７又はそれ未満であれば、アルツハイマー病が予測される、又はそれと診断される。いくつかの実施形態では、Ａβ４０に対するＡβ４２の比、又はＡβ４０フラグメントに対するＡβ４２フラグメントの比が０．１６又はそれ未満であれば、アルツハイマー病が予測される、又はそれと診断される。いくつかの実施形態では、Ａβ４０に対するＡβ４２の比、又はＡβ４０フラグメントに対するＡβ４２フラグメントの比が０．１５又はそれ未満であれば、アルツハイマー病が予測される、又はそれと診断される。いくつかの実施形態では、Ａβ４０に対するＡβ４２の比、又はＡβ４０フラグメントに対するＡβ４２フラグメントの比が０．１又はそれ未満であれば、アルツハイマー病が予測される、又はそれと診断される。
【００８６】
特定の実施形態では、方法は、１つ若しくは複数のＡβ又はそのフラグメントの前駆イオンを生成することを含む。いくつかの実施形態では、前駆イオンの少なくとも１つは、１０８５．６±０．５又は１２６９．７±０．５の質量／電荷の比を有する。いくつかの実施形態では、方法は、１つ若しくは複数のＡβ又はそのフラグメントのフラグメントイオンを生成することを含み得る。いくつかの実施形態では、フラグメントイオンの少なくとも１つは、８１２．３７±０．５、８６９．４±０．５、９６８．４３±０．５、８６９．３９±０．５、９６８．４４±０．５、１０６７．５±０．５、又は１１８０．５７±０．５の質量／電荷の比を有する。
【００８７】
特定の実施形態では、本明細書に提供される方法は、内部標準を添加することを含む。いくつかの実施形態では、内部標準は、同位体で標識された内部標準を含む。いくつかの実施形態では、内部標準は、１３Ｃ１５Ｎ標識を含む。いくつかの実施形態では、内部標準は、１３Ｃ１５Ｎで標識された少なくとも１つのＰｈｅ、Ｌｅｕ、又はＭｅｔを含む。いくつかの実施形態では、内部標準の前駆イオンの少なくとも１つは、１１１０．７±０．５の質量／電荷の比を有する。いくつかの実施形態では、方法は、内部標準の１つ又は複数のフラグメントイオンを生成することを含み得る。いくつかの実施形態では、フラグメントイオンの少なくとも１つは、７６８．４８±０．５、８２５．５±０．５、又は８８２．５２±０．５の質量／電荷の比を有する。
【００８８】
特定の実施形態では、方法の定量限界は、１０ｎｇ／ｍＬ未満、又はそれに等しい。いくつかの実施形態では、方法の定量限界は、５ｎｇ／ｍＬ未満、又はそれに等しい。いくつかの実施形態では、方法の定量限界は、４ｎｇ／ｍＬ未満、又はそれに等しい。いくつかの実施形態では、方法の定量限界は、３ｎｇ／ｍＬ未満、又はそれに等しい。いくつかの実施形態では、方法の定量限界は、２ｎｇ／ｍＬ未満、又はそれに等しい。いくつかの実施形態では、方法の定量限界は、１ｎｇ／ｍＬ未満、又はそれに等しい。いくつかの実施形態では、方法の定量限界は、０．５ｎｇ／ｍＬ未満、又はそれに等しい。いくつかの実施形態では、方法の定量限界は、０．２ｎｇ／ｍＬ未満、又はそれに等しい。いくつかの実施形態では、方法の定量限界は、０．１ｎｇ／ｍＬ未満、又はそれに等しい。
【００８９】
いくつかの実施形態では、方法の検出限界は、５ｎｇ／ｍＬ未満、又はそれに等しい。いくつかの実施形態では、方法の検出限界は、１ｎｇ／ｍＬ未満、又はそれに等しい。いくつかの実施形態では、方法の検出限界は、０．５ｎｇ／ｍＬ未満、又はそれに等しい。いくつかの実施形態では、方法の検出限界は、０．１ｎｇ／ｍＬ未満、又はそれに等しい。いくつかの実施形態では、方法の検出限界は、０．０５ｎｇ／ｍＬ未満、又はそれに等しい。いくつかの実施形態では、方法の検出限界は、０．０１ｎｇ／ｍＬ未満、又はそれに等しい。
【００９０】
いくつかの実施形態では、アミロイドベータは、マススペクトロメトリーの前に誘導体化されない。いくつかの実施形態では、アミロイドベータは、マススペクトロメトリーの前に誘導体化される。
【００９１】
特定の実施形態では、サンプルは、体液である。いくつかの実施形態では、サンプルは、脳脊髄液（ＣＳＦ）である。いくつかの実施形態では、サンプルは、血漿又は血清である。いくつかの実施形態では、サンプルは、全血である。いくつかの実施形態では、サンプルは、唾液又は尿である。
【００９２】
適する試験サンプルは、目的とする分析物を含有し得る任意の試験サンプルを含む。いくつかの好ましい実施形態では、サンプルは、生体サンプルである；すなわち、任意の生物起源物質、例えば動物、細胞培養物、臓器培養物等から得られるサンプルである。特定の好ましい実施形態では、サンプルは、哺乳動物、例えばイヌ、ネコ、ウマ等から得られる。特に好ましい哺乳動物は、霊長類、最も好ましくは男性又は女性のヒトである。特に好ましいサンプルとして、血液、血漿、血清、毛髪、筋肉、尿、唾液、涙、脳脊髄液、又はその他の組織サンプルが挙げられる。そのようなサンプルは、例えば患者；すなわち、疾患又は状態を診断、予測、又は処置するために、臨床現場において自己を提示する生存者、男性又は女性から取得され得る。試験サンプルは、好ましくは患者から得られ、例えば血清である。
【００９３】
マススペクトロメトリーのためのサンプル調製
サンプル中のその他の成分（例えば、タンパク質）と比較してそれよりもアミロイドベータを富化させるのに利用可能である方法として、例えば、フィルター処理法、遠心分離法、薄層クロマトグラフィー（ＴＬＣ）法、キャピラリー電気泳動法を含む電気泳動法、免疫親和性分離法を含む親和性分離法、酢酸エチル抽出法及びメタノール抽出法を含む抽出法、及びカオトロピック薬剤の使用、又は上記の任意の組合せ等が挙げられる。
【００９４】
タンパク質沈殿法は、試験サンプルを調製する１つの好ましい方法である。そのようなタンパク質精製法は、当技術分野に周知であり、例えば、Ｐｏｌｓｏｎらの、Ｊｏｕｒｎａｌ  ｏｆ  Ｃｈｒｏｍａｔｏｇｒａｐｈｙ  Ｂ、第７８５巻：２６３〜２７５頁（２００３年）は、本方法で使用するのに適するタンパク質沈殿技術について記載する。タンパク質沈殿法は、上清にアミロイドベータを残して、サンプルからほとんどのタンパク質を取り除くのに利用可能である。サンプルは、沈殿したタンパク質から液体上清を分離するために遠心分離され得る。得られた上清は、次に、液体クロマトグラフィー及び後続するマススペクトロメトリー分析に適用され得る。特定の実施形態では、タンパク質沈殿法、例えばアセトニトリルタンパク質沈殿法等を使用すれば、ＨＰＬＣ及びマススペクトロメトリーを行う前に、高乱流液体クロマトグラフィー（ＨＴＬＣ）又はその他のオンライン抽出を行う必要がなくなる。従って、そのような実施形態では、方法は、（１）目的とするサンプルのタンパク質沈殿を実施すること；及び（２）オンライン抽出又は高乱流液体クロマトグラフィー（ＨＴＬＣ）を使用することなく、上清をＨＰＬＣ−質量分析装置に直接負荷することと関係する。
【００９５】
いくつかの好ましい実施形態では、ＨＰＬＣは、単独で、又は１つ若しくは複数の精製法と組み合わせて、マススペクトロメトリーの前にアミロイドベータを精製するのに利用可能である。そのような実施形態では、サンプルは、分析物を捕捉するＨＰＬＣ抽出カートリッジを使用して抽出され、次に溶出され、そして第２のＨＰＬＣカラム上でクロマトグラフされ得る、又はイオン化前に分析用ＨＰＬＣカラム上に溶出され得る。このようなクロマトグラフィー手順に関与するステップは、自動化方式で連結可能であるので、分析物の精製期間中にオペレーターが関与する必要性は、最低限に抑えることができる。このような特性は、その結果、時間とコストの節約をもたらし、またオペレーターがミスする機会を取り除くことができる。
【００９６】
例えば、ＨＴＬＣカラムや諸方法等が引き起こす乱流は、物質移動速度を増強する可能性があり、分離特性を改善すると考えられている。ＨＴＬＣカラムは、剛性粒子を含有する充填カラムを通じた、クロマトグラフィーの高い流速によって成分を分離する。高速流速（例えば、３〜５ｍＬ／分）を利用することにより、乱流がカラム内に生じ、固定相と目的とする分析物の間でほぼ完全な相互作用を引き起こす。ＨＴＬＣカラムを使用する長所として、高分子量の種は、乱流条件下では保持されないので、生体液マトリックスと関連した高分子の蓄積が回避されることが挙げられる。１つの手順において複数の分離法を組み合わせるＨＴＬＣ法では、サンプル調製を長時間行う必要性が低下し、また著しく高速で作動する。そのような方法は、層流（ＨＰＬＣ）クロマトグラフィーよりも優れた分離性能も実現する。ＨＴＬＣは、生体サンプル（血漿、尿、等）の直接注入を可能にする。直接注入する場合、変性したタンパク質及びその他の生物学的デブリが分離カラムを急速にブロックするので、従来型のクロマトグラフィーでは実現が難しい。また、ＨＴＬＣは、１ｍＬ未満、好ましくは０．５ｍＬ未満、好ましくは０．２ｍＬ未満、好ましくは０．１ｍＬの非常に少ないサンプルボリュームも可能にする。
【００９７】
マススペクトロメトリーによる分析前に、サンプル調製に適用されるＨＴＬＣの例は、別途記載されている。例えば、Ｚｉｍｍｅｒら、Ｊ．Ｃｈｒｏｍａｔｏｇｒ．Ａ８５４巻：２３〜３５頁（１９９９年）を参照；米国特許第５，９６８，３６７号；同第５，９１９，３６８号；同第５，７９５，４６９号；及び同第５，７７２，８７４号も参照。本方法の特定の実施形態では、サンプルは、ＨＴＬＣカラムに負荷する前に上記のようなタンパク質沈殿処理がなされる；代替的な好ましい実施形態では、サンプルは、タンパク質沈殿処理されることなく、ＨＴＬＣ上に直接負荷され得る。ＨＴＬＣ抽出カラムは、好ましくは大型の粒子カラムである。様々な実施形態では、方法の１つ又は複数のステップは、オンラインの自動化された方式で実施され得る。例えば、１つの実施形態では、ステップ（ｉ）〜（ｖ）は、オンラインの自動化された方式で実施される。別の場合、イオン化及び検出のステップは、ステップ（ｉ）〜（ｖ）の後に、オンラインで実施される。
【００９８】
高性能液体クロマトグラフィー（ＨＰＬＣ）を含む液体クロマトグラフィー（ＬＣ）は、比較的低速の層流技術に基づく。従来型のＨＰＬＣ分析法は、カラムを通過するサンプルの層流が、サンプルから目的とする分析物を分離する基礎となる、カラム充填材に依存する。当業者は、そのようなカラムにおける分離は、拡散プロセスであると理解している。ＨＰＬＣは、生体サンプル中の化合物の分離に問題なく適用されるが、かなりの量のサンプル調製が、分離及び質量分析装置（ＭＳ）によるその後の分析の前に必要とされ、この技術を労働集約的なものとしている。更に、ほとんどのＨＰＬＣシステムは、質量分析装置をその能力の最大限まで活用しておらず、１つのＨＰＬＣシステムが１つのＭＳ装置に接続可能としているにすぎず、その結果、多数のアッセイを実施するのに冗長な時間を必要とする。
【００９９】
マススペクトロメトリー分析前のサンプル除去を目的としたＨＰＬＣの使用について、様々な方法が記載されている。例えば、Ｔａｙｌｏｒら、Ｔｈｅｒａｐｅｕｔｉｃ  Ｄｒｕｇ  Ｍｏｎｉｔｏｒｉｎｇ、第２２巻：６０８〜１２頁（２０００年）；及びＳａｌｍら、Ｃｌｉｎ．Ｔｈｅｒａｐｅｕｔｉｃｓ、２２巻Ｓｕｐｌ．Ｂ：Ｂ７１〜Ｂ８５頁（２０００年）を参照。
【０１００】
当業者は、アミロイドベータと共に利用するのに適するＨＰＬＣ装置及びカラムを選択し得る。クロマトグラフ用カラムは、化学的部分の分離（すなわち、分画）を促進する媒体（すなわち、充填材料）を一般的に含む。媒体として微細粒子を挙げることができる。粒子は、様々な化学的部分と相互作用して化学的部分の分離を促進する結合表面を備える。１つの適する結合表面は、疎水結合表面、例えばアルキル結合表面等である。アルキル結合表面は、Ｃ−４、Ｃ−８、Ｃ−１２、又はＣ−１８結合アルキル基、好ましくはＣ−１８結合基を含み得る。クロマトグラフ用カラムは、サンプルを受け取るための注入ポートと、分画されたサンプルを含む流出物を排出するための排出ポートを備える。１つの実施形態では、サンプル（又は事前精製されたサンプル）が、注入ポートにおいてカラムに適用され、溶媒又は溶媒混合物により溶出され、そして排出ポートから排出される。異なる溶媒モードが、目的とする分析物を溶出させるのに選択され得る。例えば、液体クロマトグラフィーは、勾配モード、アイソクラチックモード、又は多型（すなわち、混合）モードを使用して実施され得る。クロマトグラフィー期間中に、材料の分離は、変動要因、例えば溶離液（「移動相」としても知られている）の選択、溶出モード、勾配条件、温度等により影響を受ける。
【０１０１】
特定の実施形態では、分析物は、目的とする分析物がカラム充填材料により可逆的に保持される一方、１つ又は複数のその他の物質は保持されない条件下で、サンプルをカラムに適用することにより精製され得る。このような実施形態では、第１の移動相の条件は、目的とする分析物がカラムにより保持されるように設定可能であり、また第２の移動相の条件は、その後、保持されなかった物質が洗い出されたら、保持された物質がカラムから取り出されるように、設定可能である。或いは、分析物は、１つ又は複数のその他の物質と比較して、異なる速度で目的とする分析物が溶出するような移動相の条件下でサンプルをカラムに適用することにより精製され得る。そのような手順は、サンプルの１つ又は複数のその他の成分と比較して、目的とする１つ又は複数の分析物の量を富化させる可能性がある。
【０１０２】
１つの好ましい実施形態では、ＨＴＬＣは、疎水性カラムクロマトグラフィーシステム上のＨＰＬＣに後続し得る。特定の好ましい実施形態では、Ｃｏｈｅｓｉｖｅ  Ｔｅｃｈｎｏｌｏｇｉｅｓ社製のＴｕｒｂｏＦｌｏｗ  Ｃｙｃｌｏｎｅ  Ｐ（登録商標）ポリマーベースカラム（粒径６０μｍ、カラム寸法５０×１．０ｍｍ、ポアサイズ１００Å）が使用される。関連する好ましい実施形態では、親水性エンドキャッピングを有する、Ｐｈｅｎｏｍｅｎｅｘ  Ｉｎｃ社製のＳｙｎｅｒｇｉ  Ｐｏｌａｒ−ＲＰ（登録商標）エーテル結合型フェニルの分析カラム（粒径４μｍ、カラム寸法１５０×２．０ｍｍ、ポアサイズ８０Å）が使用される。特定の好ましい実施形態では、ＨＴＬＣ及びＨＰＬＣが、移動相としてＨＰＬＣグレード超純水及び１００％メタノールを使用して実施される。
【０１０３】
慎重なバルブの選択及びコネクター配管作業により、手動ステップを一切必要とせずに、物質が１つのカラムから次のカラムへと通過するように、２つ以上のクロマトグラフィーカラムが、必要に応じて接続され得る。好ましい実施形態では、バルブの選択及び配管作業は、必要なステップを実施するように事前プログラムされたコンピューターにより管理される。最も好ましくは、クロマトグラフィーシステムも、検出器システム、例えばＭＳシステムと、そのようなオンライン方式で接続される。従って、オペレーターは、サンプルのトレーをオートサンプラーに配置すればよく、そして残りの作業は、コンピューター制御下で実施され、その結果、選択されたすべてのサンプルの精製及び分析が完了する。
【０１０４】
特定の好ましい実施形態では、サンプル中のアミロイドベータ又はそのフラグメントは、イオン化の前に精製され得る。特に好ましい実施形態では、クロマトグラフィーは、ガスクロマトグラフィーではない。
【０１０５】
マススペクトロメトリーによる検出及び定量
様々な実施形態では、アミロイドベータ又はそのフラグメントは、当業者にとって公知の任意の方法によりイオン化することができる。マススペクトロメトリーは、分画されたサンプルをイオン化し、そして更なる分析用として荷電分子を生み出すイオン源を備える質量分析装置を使用して実施される。例えば、サンプルのイオン化は、電子イオン化、化学イオン化、エレクトロスプレーイオン化（ＥＳＩ）、光子イオン化、大気圧化学イオン化（ＡＰＣＩ）、光イオン化、大気圧光イオン化（ＡＰＰＩ）、高速原子衝撃（ＦＡＢ）、液体二次イオン化（ＬＳＩ）、マトリックス支援レーザー脱離イオン化（ＭＡＬＤＩ）、電界イオン化、電界脱離、サーモスプレー／プラズマスプレーイオン化、表面増強レーザー脱離イオン化（ＳＥＬＤＩ）、誘導結合プラズマ（ＩＣＰ）、及び粒子ビームイオン化により実施され得る。当業者は、イオン化法の選択は、測定される分析物、サンプルの種類、検出器の種類、ポジティブモードとネガティブモードの選択等に基づき決定され得るものと理解する。
【０１０６】
好ましい実施形態では、アミロイドベータ又はそのフラグメントは、ポジティブモード又はネガティブモードでの加熱式エレクトロスプレーイオン化（ＨＥＳＩ）によりイオン化する。代替的実施形態では、アミロイドベータ又はそのフラグメントは、ポジティブモード又はネガティブモードでのエレクトロスプレーイオン化（ＥＳＩ）又は大気圧化学イオン化（ＡＰＣＩ）によりイオン化する。
【０１０７】
サンプルがイオン化した後、これにより生成した正に荷電したイオン又は負に荷電したイオンは、質量対電荷の比を決定するために分析され得る。質量対電荷の比を決定するための適するアナライザーとして、四重極型アナライザー、イオントラップアナライザー、及び飛行時間アナライザーが挙げられる。イオンは、いくつかの検出モードを使用して検出可能である。例えば、選択されたイオンは、すなわち、選択的イオンモニタリングモード（ＳＩＭ）を使用して検出可能であるか、また或いは、イオンは、スキャニングモード、例えば、多重反応モニタリング（ＭＲＭ）又は選択的反応モニタリング（ＳＲＭ）を使用して検出可能である。好ましくは、質量対電荷の比は、四重極型アナライザーを使用して決定される。例えば、「四重極」又は「四重極型イオントラップ」装置では、電極間に印加されたＤＣ電位、ＲＦシグナルの振幅、及び質量／電荷の比に比例した力が、振動性ラジオ周波数場内のイオンに加わる。電圧及び振幅は、特定の質量／電荷の比を有するイオンのみが、四重極の長さを移動する一方、その他のすべてのイオンは外れるように選択され得る。従って、四重極型装置は、装置に注入されたイオンに対して、「マスフィルター」及び「マス検出器」の両方として作用し得る。
【０１０８】
「タンデム型質量分析」又は「ＭＳ／ＭＳ」を利用することにより、ＭＳ技術の分解能を強化することができる。この技術では、目的とする分子から生成した前駆イオン（親イオンとも呼ばれる）を、ＭＳ装置内でフィルター処理することができ、そして前駆イオンは、その後フラグメント化されて、次に第２のＭＳ手順において分析の対象とされる１つ又は複数のフラグメントイオン（娘イオン又はプロダクトイオンとも呼ばれる）となる。前駆イオンを慎重に選択することにより、特定の分析物より産生するイオンのみが、フラグメント化チャンバーを通過し、そこで、不活性気体の原子と衝突してフラグメントイオンが産生する。前駆イオン及びフラグメントイオンのいずれも、イオン化／フラグメント化させる一連の所定条件下で再現的に産生するので、ＭＳ／ＭＳ技術は、極めて強力な分析ツールを提供し得る。例えば、フィルター処理／フラグメント化の組合せは、妨害物質を取り除くのに利用可能であり、また複合サンプル、例えば生体サンプル等において特に有用であり得る。
【０１０９】
質量分析装置は、一般的に、イオンスキャン；すなわち、所定の範囲（例えば、１００〜１０００ａｍｕ）において、特定の質量／電荷を有する各イオンの相対的存在量をユーザーに提供する。分析物アッセイの結果、すなわち質量スペクトルは、当技術分野において公知の非常に多くの方法により、オリジナルサンプル内の分析物の量と関連付けることができる。例えば、サンプリング及び分析パラメーターが慎重に管理されることを前提とすれば、所定のイオンの相対的存在量は、相対的存在量をオリジナル分子の絶対量に変換する表と比較することができる。或いは、分子標準をサンプルと共にランニングすることができ、そしてその標準から生成したイオンに基づき、標準曲線が構築される。そのような標準曲線を使用して、所定のイオンの相対的存在量が、オリジナル分子の絶対量に変換され得る。特定の好ましい実施形態では、内部標準が、アミロイドベータの量を計算するための標準曲線を生成するのに使用される。そのような標準曲線を生成及び使用する方法は、当技術分野に周知であり、また当業者は、適切な内部標準を選択する能力を有する。例えば、アミロイドベータの同位体が、内部標準として利用可能である。イオンの量をオリジナル分子の量と関連付けるための非常に多くのその他の方法が、当業者に周知である。
【０１１０】
方法の１つ又は複数のステップは、自動化された機械を使用して実施され得る。特定の実施形態では、１つ又は複数の精製ステップが、オンラインで実施され、またより好ましくは、精製及びマススペクトロメトリーステップのすべてが、オンライン方式で実施され得る。
【０１１１】
特定の実施形態、例えば前駆イオンが更なるフラグメント化を目的として単離されるようなＭＳ／ＭＳ等では、衝突活性化解離法〔collision activation dissociation〕が、更なる検出を目的としてフラグメントイオンを生成するのに多くの場合使用される。ＣＡＤでは、前駆イオンは、不活性気体との衝突を通じてエネルギーを獲得するが、その後「単分子分解反応」と呼ばれるプロセスによりフラグメント化する。振動エネルギーの増加に起因して、イオン内の特定の結合が破壊され得るように、十分なエネルギーが、前駆イオン内に蓄積しなければならない。
【０１１２】
特に好ましい実施形態では、アミロイドベータが、ＭＳ／ＭＳを使用して、以下のように検出及び／又は定量化される。サンプルは、液体クロマトグラフィー、好ましくはＨＰＬＣで処理され、クロマトグラフ用カラムからの液体溶媒の流れは、ＭＳ／ＭＳアナライザーの加熱されたネブライザーインターフェースに進入し、そして溶媒／分析物混合物が、インターフェースの加熱されたチューブ内で蒸気に変換される。分析物は、選択されたイオン化装置によりイオン化される。イオン、例えば前駆イオンは、装置の開口部を通過し、そして第１の四重極に進入する。四重極１及び３（Ｑ１及びＱ３）は、質量フィルターであり、その質量対電荷の比（ｍ／ｚ）に基づき、イオン（すなわち、「前駆」及び「フラグメント」イオン）の選択を可能にする。四重極２（Ｑ２）は衝突セルであり、そこでイオンがフラグメント化される。質量分析装置の第１の四重極（Ｑ１）は、アミロイドベータの質量対電荷の比を用いて分子を選択する。アミロイドベータの正しい質量／電荷の比を有する前駆イオンが、衝突チャンバー（Ｑ２）に導入可能となる一方、その他の質量／電荷の比を有する望ましくないイオンはいずれも四重極の側面と衝突し、除去される。Ｑ２に進入する前駆イオンは、中性のアルゴン気体分子と衝突して、フラグメント化する。このプロセスは衝突活性化解離（ＣＡＤ）と呼ばれる。生成したフラグメントイオンは、四重極３（Ｑ３）に導入され、そこでは、アミロイドベータフラグメントのイオンが選択される一方、その他のイオンは除去される。
【０１１３】
本方法は、ポジティブ又はネガティブイオンモードのいずれかで実施されるＭＳ／ＭＳと関係し得る。当技術分野において周知の標準法を使用して、当業者は、四重極３（Ｑ３）における選択で利用可能な、特定のアミロイドベータの前駆イオンの１つ又は複数のフラグメントイオンを識別する能力を有する。
【０１１４】
アミロイドベータの前駆イオンがアルコール又はアミン基を含む場合、一般的に、前駆イオンの脱水又は脱アミノに該当するフラグメントイオンがそれぞれ形成される。アルコール基を含む前駆イオンの場合、脱水により形成されるそのようなフラグメントイオンは、前駆イオンから１つ又は複数の水分子の喪失により引き起こされる（すなわち、前駆イオンとフラグメントイオンの間の質量対電荷の比の差異は、水分子１個の喪失では約１８であり、又は水分子２個の喪失では約３６である、等）。アミン基を含む前駆イオンの場合、脱アミノにより形成されるそのようなフラグメントイオンは、１つ又は複数のアンモニア分子の喪失により引き起こされる（すなわち、前駆イオンとフラグメントイオンの間の質量対電荷の比の差異は、アンモニア分子１個の喪失では約１７であり、又はアンモニア分子２個の喪失では約３４である、等）。同様に、１つ又は複数のアルコール及びアミン基を含む前駆イオンは通常、１つ若しくは複数の水分子及び／又は１つ若しくは複数のアンモニア分子の喪失に該当するフラグメントイオンを形成する（すなわち、前駆イオンとフラグメントイオンの間の質量対電荷の比の差異は、水分子１個の喪失、及びアンモニア分子１個の喪失について約３５である）。概して、前駆イオンの脱水又は脱アミノに該当するフラグメントイオンは、特定の分析物に対する固有のフラグメントイオンではない。従って、本発明の好ましい実施形態では、ＭＳ／ＭＳは、アミロイドベータの少なくとも１つのフラグメントイオンが検出され、それが、前駆イオンから１つ若しくは複数の水分子が喪失した唯一のもの、及び／又は１つ若しくは複数のアンモニア分子が喪失した唯一のものに該当しないように実施される。
【０１１５】
イオンが検出器と衝突すると、イオンは、デジタルシグナルに変換される電子のパルスを産生する。取得されたデータは、収集されたイオンのカウントを時間に対してプロットするコンピューターに伝達される。得られた質量クロマトグラムは、従来型のＨＰＬＣ法で生成されるクロマトグラムと類似している。特定のイオンに対応するピーク下面積、又はそのようなピークの振幅が測定され、そして面積又は振幅が、目的とする分析物の量と関連付けられる。特定の実施形態では、フラグメントイオン及び／又は前駆イオンに関する曲線下面積又はピークの振幅が、アミロイドベータの量を決定するために測定される。上記のように、内部分子標準の１つ又は複数のイオンに由来するピークに基づく校正標準曲線を使用して、所定のイオンの相対的存在量は、オリジナルの分析物の絶対量に変換され得る。
【０１１６】
下記の実施例は、本発明を説明する役目を果たす。これらの実施例には、本方法の範囲に制限を設けるような意図は一切存在しない。
【実施例】
【０１１７】
［実施例１］
機器の事前処理及びアミロイドベータの安定化
９６ウェルポリプロピレンプレート及び微量遠心試験管の事前処理
９６ウェルプレート内で大腸菌を溶解し、そしてメタノールを使用して沈殿させた。
【０１１８】
次に、メタノールを廃棄する一方、炭酸水素アンモニウムｐＨ８内でペレットを再懸濁した。
【０１１９】
Ｓｉｇｍａ社製のウシトリプシンを添加し、そしてサンプルを、６０℃で２日間インキュベートした。
【０１２０】
次に、すべての消化物を、廃棄目的で廃棄した、又はピペットチップを事前処理するためにプールした。
【０１２１】
空のプレート及び試験管を完全に乾燥させた。
【０１２２】
ピペットチップの事前処理
ピペットチップを使用して、大腸菌消化物を少なくとも３回ピペット吸引及び吐出し、次に６０℃で２日間、又は完全に乾燥するまでインキュベートした。
【０１２３】
アミロイドベータペプチドの安定化
事前処理した試験管内でＡＢ４０、ＡＢ４２、及び内部標準を合成し、そして４ｍｇのＢＳＡを含む６Ｍ尿素中に再懸濁した。
【０１２４】
標準を、次に、Ｎ末端及びＣ末端抗体、並びにアポリポタンパク質Ｅ２及びＥ４を含む０．１ＭのＰＢＳ中で１：１０にそれぞれ希釈した。
【０１２５】
シェーカーで各混合物を室温で１時間インキュベートした。
【０１２６】
次に、ＡＢ４０及びＡＢ４２を混合し、そして凍結する前に、０．１ＭのＰＢＳ及び０．４ｍｇ／ｍＬのＢＳＡ中で希釈して、高値キャリブレータ標準を作成した。
【０１２７】
下記の表は、処理バイアル及び未処理バイアル中で調製した同一サンプルの左右比較を示す。
【０１２８】
【表Ａ】
2018535398.tif 000003
【０１２９】
［実施例２］
サンプル調製
事前処理したピペットチップを使用して、サンプル又は標準０．５ｍＬを、事前処理した９６ウェルプレートにピペット採取した。
【０１３０】
５ｎｇの内部標準を添加した。
【０１３１】
１８Ｍの尿素２５０ｕＬを添加した。
【０１３２】
２ｕｇのＬｙｓ−Ｃを各サンプルに添加して、アミロイドベータを消化した。
【０１３３】
４５０ｗ、４５℃で酵素を伴うマイクロ波中で４時間消化する前に、接着性の蓋でプレートを密閉した。
【０１３４】
次に、サンプルを、水混合強陰イオン交換モードを使用して抽出した。
【０１３５】
次に、サンプル溶出液を、加熱窒素を使用して完全に乾燥させた。
【０１３６】
次に、サンプルを、ＬＣ−ＭＳ／ＭＳ分析用の再構成用バッファー中で再懸濁した。
【０１３７】
［実施例３］
ＭＳ／ＭＳによるアミロイドベータフラグメントの検出及び定量
イオンを第１の四重極（Ｑ１）に導入し、Ａβ４０フラグメント及びＡβ４２フラグメントのそれぞれについて、１０８５．６±０．５ｍ／ｚ又は１２６９．７±０．５ｍ／ｚのいずれかの質量対電荷の比を用いてイオンを選択した。四重極２（Ｑ２）に進入したイオンは、アルゴンガスと衝突して、イオンフラグメントを生成したが、更なる選択のために、イオンフラグメントを四重極３（Ｑ３）に導入した。同時に、同位体希釈マススペクトロメトリーを使用する同一のプロセスを、内部標準を用いて実施した。下記の質量遷移を、陽性極性での妥当性確認期間中に、検出及び定量するために使用した。
【０１３８】
【表１】
2018535398.tif 000004
【０１３９】
患者クロマトグラムの例を、図６及び図７に示す。
【０１４０】
様々な抽出を比較して、アミロイドベータフラグメントの回収率を最適化した。
【０１４１】
【表２】
2018535398.tif 000005
Ｗａｔｅｒｓ  ＭＡＸ：混合強陰イオン交換モード→最終的なアッセイの妥当性確認用に使用
Ｗａｔｅｒｓ  ＭＸＣ：混合強陽イオン交換モード
Ｗａｔｅｒｓ  ＨＬＢ：疎水化合物用に作製されたシリカ
ＡｇｉｌｅｎｔＣ１８：代表的なＣ１８充填材
ＰｈｅｎｏｍｅｎｅｘＣＸ：混合強陽イオン交換モード
ＴｈｅｒｍｏＳＡＸ：強陰イオン交換
【０１４２】
混合強陰イオン交換モードは、アミロイドベータフラグメントについて、最良の回収率をもたらした。
【０１４３】
消化物中に含まれる尿素は、分析物の回収率を増加させる。下記の数値が決定された：
【０１４４】
【表３】
2018535398.tif 000006
【０１４５】
Ｃ４分析カラムとＣ８分析カラムを感度について比較した。Ｃ４カラムは、優れた感度をもたらしたが、当技術分野においては、Ｃ８及びＣ１８カラムが一般的に好ましいので、それは予想外である。図１１。
【０１４６】
［実施例４］
アッセイの報告可能な範囲及び直線性
アッセイにおけるアミロイドベータ検出の直線性を立証するために、ゼロ標準として割り振られた１つのブランクとスパイクした標準を調製及び分析した。５回の連続したランに由来する二次回帰から、±２０％の正確性で、０．９９５又はそれを超える相関係数が得られ、定量可能な直線範囲は０．１〜２５ｎｇ／ｍＬの範囲であることが判明した。図４及び図５。
【０１４７】
［実施例５］
アッセイの精密度
サンプルのアッセイ内再現性を、下記の品質コントロールレベルについて試験した：
【０１４８】
【表４】
2018535398.tif 000007
【０１４９】
ラン中の精密度：各品質コントロールの１０回の反復測定を、単一アッセイ内において下記の順序で分析した；低、中、及び高。
【０１５０】
合否基準：％ＣＶは、≦ＴＥａ／２の許容可能な値未満であるべきである。このアッセイのＴＥａは、３０％と決定されている。
【０１５１】
ベータアミロイド４０の％ＣＶは、３つの品質コントロールレベルすべてにおいて１４．３１％〜６．５５％の範囲であった。
【０１５２】
ベータアミロイド４２の％ＣＶは、３つの品質コントロールレベルすべてにおいて１４．９３％〜７．５１％の範囲であった。
【０１５３】
総精密度：アッセイ間妥当性確認データを分析した。
【０１５４】
合否基準：総ＳＤ≧１／２ＴＥａの場合、許容されない、又は総ＳＤは、定義された最大ＳＤ又はＣＶ未満でなければならない。
【０１５５】
％ＣＶは、≦ＴＥａ／２の許容可能な値未満であるべきである。このアッセイのＴＥａは、３０％と決定されている。
【０１５６】
ベータアミロイド４０の％ＣＶは、３つの品質コントロールレベルすべてにおいて１０．２１％〜４．２８％の範囲であった。
【０１５７】
ベータアミロイド４２の％ＣＶは、３つの品質コントロールレベルすべてにおいて１４．６３％〜８．１７％の範囲であった。
【０１５８】
［実施例６］
分析感度（検出限界）
ブランクの限界（ＬＯＢ）：計算：ＬＯＢ＝ブランクの平均値＋２ＳＤ。
【０１５９】
２１のマトリックスブランクを、単一アッセイ内において分析したが、次に、逆算値は下記のＬＯＢを計算するのに使用される。
【０１６０】
ＡＢ４０のＬＯＢ：３１．３２ｐｇ／ｍＬ。
【０１６１】
ＡＢ４２のＬＯＢ：３２．１１ｐｇ／ｍＬ。
【０１６２】
【表５】
2018535398.tif 000008
【０１６３】
検出限界（ＬＯＤ）：計算：ＬＯＤ＝ブランクの平均値＋４ＳＤ。
【０１６４】
２１つのマトリックスブランクを、単一アッセイ内において分析したが、次に、逆算値は下記のＬＯＤを計算するのに使用される。
【０１６５】
ＡＢ４０のＬＯＤ：７７．７８ｐｇ／ｍＬ。
【０１６６】
ＡＢ４２のＬＯＤ：７４．２１ｐｇ／ｍＬ。
【０１６７】
【表６】
2018535398.tif 000009
【０１６８】
定量限界（ＬＯＱ）：合否基準：ＴＥａが３０％のときに、％ＣＶが２ＳＤ未満、又はそれに等しい最低濃度。
【０１６９】
ベータアミロイド４０及び４２の両方の定量限界は、１００ｐｇ／ｍＬと決定されている。
【０１７０】
【表７】
2018535398.tif 000010
【０１７１】
【表８】
2018535398.tif 000011
【０１７２】
【表９】
2018535398.tif 000012
【０１７３】
【表１０】
2018535398.tif 000013
【０１７４】
［実施例７］
分析物測定範囲（ＡＭＲ）
合否基準：ＴＥａが３０％のとき、実測値の平均値につき、その予想範囲からの逸脱は、２ＳＤ又は２０％ＣＶ以下であるべきである。
【０１７５】
ベータアミロイド４０の％ＣＶは、６．５２〜１２．０１％の範囲であり、許容されるとみなされる。
【０１７６】
ベータアミロイド４２の％ＣＶは、６．２７〜１４．２４％の範囲であり、許容されるとみなされる。
【０１７７】
【表１１】
2018535398.tif 000014
【０１７８】
［実施例８］
正確度
既知標準の回収率
合否基準：完全回収できなかったことに起因する誤差（回収量−添加量）は、ＴＥａが３０％のとき、２ＳＤ又は１５％ＣＶ以下であるべきである。
【０１７９】
６つのストリップウシ脳脊髄液サンプルを下記の濃度：１０００、２０００、３０００、４０００、８０００、及び９０００ｐｇ／ｍＬでスパイクし、各スパイクレベルを三連でアッセイした。
【０１８０】
次に、６つの異なるスパイクレベルを、ストリップウシ脳脊髄液を希釈剤として使用して１：３及び１：５の比で希釈し、ここでも三連でアッセイした。
【０１８１】
【表１２】
2018535398.tif 000015
【０１８２】
【表１３】
2018535398.tif 000016
【０１８３】
【表１４】
2018535398.tif 000017
【０１８４】
【表１５】
2018535398.tif 000018
【０１８５】
【表１６】
2018535398.tif 000019
【０１８６】
【表１７】
2018535398.tif 000020
【０１８７】
［実施例９］
試料の安定性
合否基準：ＴＥａが３０％に等しいとき、ベースライン値と時間／温度サンプル値の間の平均値の差が、分析物に関して≦ＴＥａ／２である限り、サンプルは安定とみなされる。
【０１８８】
凍結／解凍の安定性：凍結解凍分析を、４つのアリコートに等分した６例の患者プールを分析することにより実施した。各患者プールの４つのアリコートすべてを、−６０〜−８０℃で凍結した。第２〜４のアリコートを１８〜２６℃の周囲温度で解凍し、そして凍結した。第３及び第４のアリコートを１８〜２６℃の周囲温度で解凍し、そして凍結した。第４のアリコートを、次に１８〜２６℃の周囲温度で解凍し、そして凍結した。
【０１８９】
最終的に、アリコートすべてを１８〜２６℃の周囲温度で解凍し、そして技術的に三連で分析した。凍結解凍分析は、３種類の凍結解凍サイクルに関わるデータを含有する。
【０１９０】
ベータアミロイド４０及びベータアミロイド４２は、最大２回の凍結解凍サイクルまで許容される安定性を有する。
【０１９１】
【表１８−１】
2018535398.tif 000021
【表１８−２】
2018535398.tif 000022
【表１８−３】
2018535398.tif 000023
【０１９２】
抽出後のサンプルの安定性：ベースライン値としてサンプル抽出した日と同じ日に、１０サンプルを分析した。翌日、同一サンプルを再注入して、ベースライン値と対比分析した。
【０１９３】
ベータアミロイド４０及び４２は、ＣＴＣオートサンプラーのＣ−スタックにおいて、４℃で最長１日、抽出後サンプル安定性を示す。
【０１９４】
【表１９】
2018535398.tif 000024
【０１９５】
冷蔵安定性（２．０〜８．０℃）：サンプルは、最長５日間冷蔵保存しても安定であることを示した。
【０１９６】
【表２０】
2018535398.tif 000025
【０１９７】
【表２１】
2018535398.tif 000026
【０１９８】
室温安定性（１８．０〜２６．０℃）：サンプルは、１８〜２６℃で最長３日間安定である。
【０１９９】
【表２２】
2018535398.tif 000027
【０２００】
【表２３】
2018535398.tif 000028
【０２０１】
凍結安定性（−１０．０〜−３０．０℃）：サンプルは、−１０〜−３０℃で最長３１日間安定である。
【０２０２】
【表２４】
2018535398.tif 000029
【０２０３】
【表２５】
2018535398.tif 000030
【０２０４】
［実施例１０］
妨害試験
合否基準：潜在的妨害物質に起因する差異は、≦２ＳＤであるべきである、又は２０％ＣＶは許容されるとみなされる。
【０２０５】
溶血による妨害：６つのスパイクプールを、ベースライン、小規模、中規模、及び大規模な溶血による妨害について三連で分析した。
【０２０６】
ベータアミロイド４０及びベータアミロイド４２は、非溶血、及び小規模溶血した脳脊髄液サンプルのみが許容される。
【０２０７】
【表２６】
2018535398.tif 000031
【０２０８】
【表２７】
2018535398.tif 000032
【０２０９】
【表２８】
2018535398.tif 000033
【０２１０】
【表２９】
2018535398.tif 000034
【０２１１】
脂肪血症による妨害：６つのスパイクプールを、ベースライン、小規模、中規模、及び大規模な脂肪血症の妨害について、三連で分析した。
【０２１２】
ベータアミロイド４０及びベータアミロイド４２は、小規模及び中規模の脂肪血症脳脊髄液サンプルにつき許容される。
【０２１３】
【表３０】
2018535398.tif 000035
【０２１４】
【表３１】
2018535398.tif 000036
【０２１５】
【表３２】
2018535398.tif 000037
【０２１６】
【表３３】
2018535398.tif 000038
【０２１７】
ビリルビンによる妨害：６つのスパイクプールを、ベースライン、小規模、中規模、及び大規模な黄疸による妨害について、三連で分析した。
【０２１８】
ベータアミロイド４０及びベータアミロイド４２は、黄疸なし及び小規模な黄疸の脳脊髄液サンプルにつき、許容される。
【０２１９】
【表３４】
2018535398.tif 000039
【０２２０】
【表３５】
2018535398.tif 000040
【０２２１】
【表３６】
2018535398.tif 000041
【０２２２】
【表３７】
2018535398.tif 000042
【０２２３】
［実施例１１］
イオン抑制
患者サンプル１０例を抽出した。
【０２２４】
勾配全体にわたりイオン抑制をモニターするために、取得ウィンドウを最長１０分間開放した。サンプル１０例を、分析カラムを通じて注入した一方、ベータアミロイド４０及び４２の消化されたペプチド混合物を、ポストカラム注入した。
【０２２５】
ＡＢ４０又はＡＢ４２の内部標準が溶出したときに、ＡＢ４０又はＡＢ４２の全イオンクロマトグラム（ＴＩＣ）が、シグナル強度について≧１５％の減少を示した場合には、アッセイにおいてイオン抑制が存在すると判断される。
【０２２６】
ＡＢ４０及び４２の消化されたペプチドのＴＩＣは、分析物の溶出時に、勾配内で抑制を示さなかった。ＴＩＣシグナル強度は一定であり、シグナル強度の差異は≦１５％であることを示しており、許容されるアッセイパラメーターの範囲内である。
【０２２７】
［実施例１２］
キャリーオーバー
高値キャリブレータ標準を分析した後に、４つのマトリックスブランクを続けて分析し、この順番で更に２回反復した。高値キャリブレータ分析後のマトリックスブランクの平均計算濃度から、ベータアミロイド４０及び４２の両方について、回収率は０．０６％である。
【０２２８】
このアッセイでは、キャリーオーバーは観察されない。
【０２２９】
【表３８】
2018535398.tif 000043
【０２３０】
［実施例１３］
参照間隔（ＲＩ）
ベータアミロイド４０：６０００．００〜１５０００．００ｐｇ／ｍＬ
【０２３１】
ベータアミロイド４２：７００．００〜４０００．００ｐｇ／ｍＬ
【０２３２】
［実施例１４］
アルツハイマー病患者データ
アルツハイマー病と診断された患者、及び健常対象を含む対象２１１例の脳脊髄液（ＣＳＦ）を分析した。図８〜１０。
【０２３３】
Ａβ４０及びＡβ４２を、すべてのＣＳＦサンプルにおいて検出した。驚くべきことに、Ａβ４２レベルは、公表されていたレベルよりも約１０倍高かった。大部分の患者サンプルは、１〜８ｎｇ／ｍＬの範囲であった。アルツハイマー病患者は、Ａβ４２：Ａβ４０の比が、ボーダーラインの患者及び健常対象（最高の比）と比較して低いことに基づき区別可能であった。図８。
【０２３４】
［実施例１５］
追加の回収試験
サンプル調製：すべてのプラスチック製ディスポーザブル用具を事前処理し、そして非特異結合を防止し、またＡβ標準を安定化させて長期保存安定性を強化した。
【０２３５】
強いタンパク質変性剤を、ヒトＣＳＦ（５００ｕＬ）に添加し、そしてサンプルをタンパク質消化させ、その後に固相抽出した。ＣＥＲＥＸ  ＩＰ８（ＳＰＥｗａｒｅ）固相抽出マニフォールドと連結したロボット型リキッドハンドラー（Ｈａｍｉｌｔｏｎ  Ｍｉｃｒｏｌａｂ  Ｓｔａｒ  Ａ８５７）上で、サンプルを処理した。
【０２３６】
分離：ＨＰＬＣ分離を、Ｗａｔｅｒｓ  ＸＢｒｉｄｇｅ  Ｐｒｏｔｅｉｎ  ＢＥＨ  Ｃ４カラム、４．６×１００ｍｍ、３．５ミクロン３００Åを使用して、Ａｒｉａ  ＴＬＸ−４システム（Ｔｈｅｒｍｏ  Ｓｃｉｅｎｔｉｆｉｃ社）上で実施した。
【０２３７】
検出：Ｔｈｅｒｍｏ  ＴＳＱ  Ｑｕａｎｔｉｖａ三連四重極質量分析装置
【０２３８】
直線性データは、両ペプチドについて少なくとも０．９８のＲ２値を示し、８つのキャリブレータ標準全体を通じて％ＣＶ≦１５％である。
【０２３９】
定量限界は、両ペプチドについて１００ｐｇ／ｍＬであった。
【０２４０】
Ａβ４０及びＡβ４２について、アッセイ精密度（％ＣＶ）は≦１５％であり、回収率は８４％〜１１２％の範囲であった。
【０２４１】
アッセイ内（Ｎ＝１０）及びアッセイ間（Ｎ＝５、５日間）の精密度及び正確度
【０２４２】
【表３９】
2018535398.tif 000044
【０２４３】
８カ月にわたるアッセイの安定性
【０２４４】
【表４０】
2018535398.tif 000045
【０２４５】
Ａβペプチドの安定化を実現し、キャリブレータ及び品質コントロール標準の長期保管を可能にした。
【０２４６】
凍結したキャリブレータは、−８０℃で保管したとき、少なくとも８カ月安定であった。
【０２４７】
安定化措置は非特異結合をなくし、高い分析物回収率をもたらした。図１２及び１３。
【０２４８】
患者ＣＳＦのＡβ４２濃度値は、ＬＣ−ＭＳ／ＭＳアッセイを使用した方が、ＥＬＩＳＡアッセイを使用した場合より高かった。これは、この２つの方法論について比較する既報と整合する。将来的な研究により、本明細書に記載する分析前因子が差異を説明するのに役立つかどうかを明確になると予想される。
【０２４９】
【表４１】
2018535398.tif 000046
【０２５０】
結論：この新規アプローチは、Ａβ４０及びＡβ４２の定量における重要な課題の１つ:非特異結合により引き起こされる再現性不良を取り除いた。
【０２５１】
［実施例１６］
患者診断試験
３つの品質コントロール（低、中、高）をランニングし、校正曲線に沿って異なる３つの点を表示した。ＱＣは、プレート全体を通じて正確な定量を保証するために、ラン開始時及び終了時にランニングした。品質コントロールの正確度を以下に示す：
【０２５２】
【表４２】
2018535398.tif 000047
【０２５３】
Ａβ４０及び４２の患者サンプル範囲
患者サンプル７２例に基づく。
Ａβ４０：５１３５．３３〜２５３４８．９４ｐｇ／ｍＬ
Ａβ４２：１０６８．００〜５４９９．７６ｐｇ／ｍＬ。
【０２５４】
Ａβ４０及び４２の異なるレベルを標準化する。
【０２５５】
プラーキング又は洗浄不十分に起因してＡβ４２の数値は低下するので、Ａβ４２／４０の比も低下する。
【０２５６】
Ａβ４０及び４２のレベルは、互いに独立に増加／低下するものと思われる。
【０２５７】
データをＡβ４２／４０の比によりソートし、そしてメジアンに基づき２つのセットに分割した（Ａβ４２／４０＝０．１７）。
【０２５８】
データの半分を、＜Ａβ４２／４０のメジアンとして分割した。
【０２５９】
データの半分を、＞Ａβ４２／４０のメジアンとして分割した。
【０２６０】
平均値、標準偏差、及び％ＣＶを計算した。
【０２６１】
比の数値が、＜Ａβ４２／４０のメジアンの場合、数値≧１ＳＤを除去した。
【０２６２】
比の数値が、＞Ａβ４２／４０のメジアンの場合、数値≦１ＳＤを除去した。
【０２６３】
１ＳＤ外れ値を、「ボーダーライン」分類とした。
【０２６４】
本明細書に記載又は引用する文献、特許、及び特許出願、並びにその他のすべての文書及び電子的に利用可能な情報の内容は、個々の公開資料が参照として組み込まれるものと特別及び個別に示唆されたのと同程度に、参照により本明細書にその全体が援用される。出願者らは、任意のそのような文献、特許、特許出願、又はその他の物理的及び電子的な文書に由来する任意の及びすべての資料及び情報を本出願に物理的に組み込む権利を留保する。
【０２６５】
本明細書に事例的に記載する方法は、本明細書に特に開示されない、任意の１つの要素又は複数の要素、１つの制限又は複数の制限が存在しなくても、好適に実践できる。従って、例えば、用語「含む〔comprising〕」、「含む〔including〕」、「含有する〔containing〕」等は、拡大的及び非限定的に解釈されなければならない。更に、本明細書で採用されている用語及び表現は、制限の用語としてではなく、説明の用語として使用されており、そのような用語及び表現の使用において、提示及び記載された特性の任意の等価物又はその一部分を排除する意図は存在しない。様々な修正が、主張された本発明の範囲内で可能であると認識される。従って、本発明は、好ましい実施形態及び任意選択的な特性により特別に開示されているが、本明細書に開示する本発明に取り込まれた本発明の修正及び変更は、当業者により実施可能であるものと理解し、またそのような修正及び変更は、本発明の範囲内であるとみなされるものと理解すべきである。
【０２６６】
本発明は、本明細書において広範且つ全体的に記載されている。一般的な開示の範囲に含まれるより狭い種及び亜属のグルーピングのそれぞれも、本方法の一部をなす。これには、属から主題のいずれかを除去する条件又は否定的限定を伴う方法の一般的な説明が、切り取られた題材が本明細書において特に列挙されるか、又はされないかを問わず含まれる。
【０２６７】
その他の実施形態は、下記の特許請求の範囲内に含まれる。更に、方法の特徴又は態様が、マーカッシュ群によって記載されている場合、当業者は、発明は、これにより、マーカッシュ群の個々のメンバー又はメンバーのサブグループのいずれについても記載されているものと認識する。
【図１】
2018535398.tif 000048
【図２−１】
2018535398.tif 000049
【図２−２】
2018535398.tif 000050
【図３】
2018535398.tif 000051
【図４】
2018535398.tif 000052
【図５】
2018535398.tif 000053
【図６−１】
2018535398.tif 000054
【図６−２】
2018535398.tif 000055
【図７−１】
2018535398.tif 000056
【図７−２】
2018535398.tif 000057
【図８】
2018535398.tif 000058
【図９】
2018535398.tif 000059
【図１０】
2018535398.tif 000060
【図１１】
2018535398.tif 000061
【図１２】
2018535398.tif 000062
【図１３】
2018535398.tif 000063
【図１４】
2018535398.tif 000064
【図１５】
2018535398.tif 000065
【図１６】
2018535398.tif 000066
【図１７】
2018535398.tif 000067
【配列表】
2018535398000001.app
【国際調査報告】
2018535398.tif 000068
2018535398.tif 000069
2018535398.tif 000070
2018535398.tif 000071